(57)【要約】本願は、チャネルリソース利用を改善することを助けるよう、パラレル伝送方法及び装置を開示し、通信技術の分野に関係がある。方法は、ＷＬＡＮ制御デバイスによって、第１アクセスポイントのための第１設定パラメータを設定することと、第２アクセスポイントのための第２設定パラメータを設定することとを含む。第１設定パラメータは、第１アクセスポイントがチャネルリソースを使用することによって開始時間に第１ステーションセット内の少なくとも１つのステーションへ第１ＷＬＡＮフレームを送信可能であることを示すために使用される。第１ステーションセットは、第１アクセスポイントに関連する１つ以上のステーションを含む。第２設定パラメータは、第２アクセスポイントがチャネルリソースを使用することによって開始時間に前記第２ステーションセット内の少なくとも１つのステーションへ第２ＷＬＡＮフレームを送信可能であることを示すために使用される。第２ステーションセットは、前記第２アクセスポイントに関連する１つ以上のステーションを含む。第１ステーションセット内のいずれかのステーションと第２ステーションセット内のいずれかのステーションとの間の信号干渉は、予め定義された閾値よりも小さい。
2021520145.tif 000002
【特許請求の範囲】
【請求項１】
パラレル伝送方法であって、
無線ローカル・エリア・ネットワーク（ＷＬＡＮ）制御デバイスによって、第１アクセスポイントのための第１設定パラメータを設定することであり、該第１設定パラメータは、第１ステーションセット及び開始時間を設定するために使用され、該第１ステーションセットは、前記第１アクセスポイントに関連する１つ以上のステーションを有し、前記第１設定パラメータは、前記第１アクセスポイントがチャネルリソースを使用することによって前記開始時間に前記第１ステーションセット内の少なくとも１つのステーションへ第１ＷＬＡＮフレームを送信可能であることを示すために使用される、前記第１設定パラメータを設定することと、
前記制御デバイスによって、第２アクセスポイントのための第２設定パラメータを設定することであり、該第２設定パラメータは、第２ステーションセット及び前記開始時間を設定するために使用され、該第２ステーションセットは、前記第２アクセスポイントに関連する１つ以上のステーションを有し、前記第２設定パラメータは、前記第２アクセスポイントが前記チャネルリソースを使用することによって前記開始時間に前記第２ステーションセット内の少なくとも１つのステーションへ第２ＷＬＡＮフレームを送信可能であることを示すために使用される、前記第２設定パラメータを設定することと
を有し、
前記第１ステーションセット内のいずれかのステーションと前記第２ステーションセット内のいずれかのステーションとの間の信号干渉が、予め定義された閾値よりも小さい、
方法。
【請求項２】
前記第１ＷＬＡＮフレームは、第１トリガフレームであり、前記第１設定パラメータは、前記第１トリガフレームのトリガフレーム存続期間を設定するために更に使用され、前記第２ＷＬＡＮフレームは、第２トリガフレームであり、前記第２設定パラメータは、前記第２トリガフレームのトリガフレーム存続期間を設定するために更に使用され、前記第１トリガフレームのトリガフレーム存続期間は、前記第２トリガフレームのトリガフレーム存続期間と等しい、
請求項１に記載の方法。
【請求項３】
パラレル伝送方法であって、
アクセスポイントによって、無線ローカル・エリア・ネットワーク（ＷＬＡＮ）制御デバイスによって送信された設定パラメータを受信することであり、該設定パラメータは、ステーションセット及び開始時間を設定するために使用され、該ステーションセットは、前記アクセスポイントに関連する１つ以上のステーションを有し、前記設定パラメータは、前記アクセスポイントがチャネルリソースを使用することによって前記開始時間に前記ステーションセット内の少なくとも１つのステーションへＷＬＡＮフレームを送信可能であることを示すために使用される、前記受信することと、
前記アクセスポイントによって前記設定パラメータに基づいて、前記チャネルリソースを使用することによって前記開始時間に前記ステーションセット内の前記少なくとも１つのステーションへ前記ＷＬＡＮフレームを送信することと
を有する方法。
【請求項４】
前記設定パラメータは、トリガフレーム存続期間を設定するために更に使用され、前記アクセスポイントによって前記設定パラメータに基づいて、前記チャネルリソースを使用することによって前記開始時間に前記ステーションセット内の前記少なくとも１つのステーションへ前記ＷＬＡＮフレームを送信することは、
前記アクセスポイントによって前記開始時間に前記チャネルリソースを使用することによって、存続期間が前記トリガフレーム存続期間であるトリガフレームを前記ステーションセット内の前記少なくとも１つのステーションへ送信することを有する、
請求項３に記載の方法。
【請求項５】
無線ローカル・エリア・ネットワーク（ＷＬＡＮ）制御デバイスであって、
第１アクセスポイントのための第１設定パラメータを設定するよう構成される第１設定ユニットであり、該第１設定パラメータは、第１ステーションセット及び開始時間を設定するために使用され、該第１ステーションセットは、前記第１アクセスポイントに関連する１つ以上のステーションを有し、前記第１設定パラメータは、前記第１アクセスポイントがチャネルリソースを使用することによって前記開始時間に前記第１ステーションセット内の少なくとも１つのステーションへ第１ＷＬＡＮフレームを送信可能であることを示すために使用される、前記第１設定ユニットと、
第２アクセスポイントのための第２設定パラメータを設定するよう構成される第２設定ユニットであり、該第２設定パラメータは、第２ステーションセット及び前記開始時間を設定するために使用され、該第２ステーションセットは、前記第２アクセスポイントに関連する１つ以上のステーションを有し、前記第２設定パラメータは、前記第２アクセスポイントが前記チャネルリソースを使用することによって前記開始時間に前記第２ステーションセット内の少なくとも１つのステーションへ第２ＷＬＡＮフレームを送信可能であることを示すために使用される、前記第２設定ユニットと
を有し、
前記第１ステーションセット内のいずれかのステーションと前記第２ステーションセット内のいずれかのステーションとの間の信号干渉が、予め定義された閾値よりも小さい、
制御デバイス。
【請求項６】
前記第１ＷＬＡＮフレームは、第１トリガフレームであり、前記第１設定パラメータは、前記第１トリガフレームのトリガフレーム存続期間を設定するために更に使用され、前記第２ＷＬＡＮフレームは、第２トリガフレームであり、前記第２設定パラメータは、前記第２トリガフレームのトリガフレーム存続期間を設定するために更に使用され、前記第１トリガフレームのトリガフレーム存続期間は、前記第２トリガフレームのトリガフレーム存続期間と等しい、
請求項５に記載の制御デバイス。
【請求項７】
アクセスポイントであって、
無線ローカル・エリア・ネットワーク（ＷＬＡＮ）制御デバイスによって送信された設定パラメータを受信するよう構成される受信ユニットであり、該設定パラメータは、ステーションセット及び開始時間を設定するために使用され、該ステーションセットは、前記アクセスポイントに関連する１つ以上のステーションを有し、前記設定パラメータは、前記アクセスポイントがチャネルリソースを使用することによって前記開始時間に前記ステーションセット内の少なくとも１つのステーションへＷＬＡＮフレームを送信可能であることを示すために使用される、前記受信ユニットと、
前記設定パラメータに基づいて、前記チャネルリソースを使用することによって前記開始時間に前記ステーションセット内の前記少なくとも１つのステーションへ前記ＷＬＡＮフレームを送信するよう構成される送信ユニットと
を有するアクセスポイント。
【請求項８】
前記設定パラメータは、トリガフレーム存続期間を設定するために更に使用され、
前記送信ユニットは、前記チャネルリソースを使用することによって、存続期間が前記トリガフレーム存続期間であるトリガフレームを前記ステーションセット内の前記少なくとも１つのステーションへ送信するよう特に構成される、
請求項７に記載のアクセスポイント。
【請求項９】
無線ローカル・エリア・ネットワーク（ＷＬＡＮ）制御デバイスであって、
プロセッサ及びトランシーバを有し、
前記プロセッサは、
前記トランシーバを通じて第１アクセスポイントへ第１設定パラメータを送信し、該第１設定パラメータは、第１ステーションセット及び開始時間を設定するために使用され、該第１ステーションセットは、前記第１アクセスポイントに関連する１つ以上のステーションを有し、前記第１設定パラメータは、前記第１アクセスポイントがチャネルリソースを使用することによって前記開始時間に前記第１ステーションセット内の少なくとも１つのステーションへ第１ＷＬＡＮフレームを送信可能であることを示すために使用され、
前記トランシーバを通じて第２アクセスポイントへ第２設定パラメータを送信し、該第２設定パラメータは、第２ステーションセット及び前記開始時間を設定するために使用され、該第２ステーションセットは、前記第２アクセスポイントに関連する１つ以上のステーションを有し、前記第２設定パラメータは、前記第２アクセスポイントが前記チャネルリソースを使用することによって前記開始時間に前記第２ステーションセット内の少なくとも１つのステーションへ第２ＷＬＡＮフレームを送信可能であることを示すために使用される
よう構成され、
前記第１ステーションセット内のいずれかのステーションと前記第２ステーションセット内のいずれかのステーションとの間の信号干渉が、予め定義された閾値よりも小さい、
制御デバイス。
【請求項１０】
アクセスポイントであって、
プロセッサ及び無線ローカル・エリア・ネットワーク（ＷＬＡＮ）チップを有し、
前記プロセッサは、前記ＷＬＡＮチップのための第１設定パラメータを設定するよう構成され、前記第１設定パラメータは、第１ステーションセット及び開始時間を設定するために使用され、該第１ステーションセットは、前記アクセスポイントに関連する１つ以上のステーションを有し、前記第１設定パラメータは、前記ＷＬＡＮチップがチャネルリソースを使用することによって前記開始時間に前記第１ステーションセット内の少なくとも１つのステーションへ第１ＷＬＡＮフレームを送信可能であることを示すために使用され、
前記ＷＬＡＮチップは、前記プロセッサから複数のＷＬＡＮフレームを受信し、該複数のＷＬＡＮフレームから、受信側が前記第１ステーションセット内のステーションであるＷＬＡＮフレームを前記第１ＷＬＡＮフレームとして選択し、該第１ＷＬＡＮフレームを前記開始時間に前記チャネルリソースを使用することによって送信するよう構成され、
前記プロセッサは、他のアクセスポイントのための第２設定パラメータを設定するよう更に構成され、該第２設定パラメータは、第２ステーションセット及び前記開始時間を設定するために使用され、該第２ステーションセットは、前記第２アクセスポイントに関連する１つ以上のステーションを有し、前記第２設定パラメータは、前記他のアクセスポイントが前記チャネルリソースを使用することによって前記開始時間に前記第２ステーションセット内の少なくとも１つのステーションへ第２ＷＬＡＮフレームを送信可能であることを示すために使用される、
アクセスポイント。
【請求項１１】
アクセスポイントであって、
トランシーバ、プロセッサ、及び無線ローカル・エリア・ネットワーク（ＷＬＡＮ）チップを有し、
前記プロセッサは、前記トランシーバを通じて、ＷＬＡＮ制御デバイスによって送信された設定パラメータを受信するよう構成され、該設定パラメータは、ステーションセット及び開始時間を設定するために使用され、前記ステーションセットは、前記アクセスポイントに関連する１つ以上のステーションを有し、前記設定パラメータは、前記アクセスポイントがチャネルリソースを使用することによって前記開始時間に前記ステーションセット内の少なくとも１つのステーションへターゲットＷＬＡＮフレームを送信可能であることを示すために使用され、
前記ＷＬＡＮチップは、前記プロセッサから複数のＷＬＡＮを受信し、該複数のＷＬＡＮフレームから、受信側が前記ステーションセット内のステーションであるＷＬＡＮフレームを前記ターゲットＷＬＡＮフレームとして選択し、該ターゲットＷＬＡＮフレームを前記開始時間に前記チャネルリソースを使用することによって送信するよう構成される、
アクセスポイント。
【請求項１２】
プログラムコードを有し、該プログラムコードがコンピュータで実行される場合に、請求項１乃至４のうちいずれか一項に記載のパラレル伝送方法が実行される、
コンピュータ可読記憶媒体。
【発明の詳細な説明】
【技術分野】
【０００１】
本願は、通信技術の分野に、特に、パラレル伝送方法及び装置に関係がある。
【背景技術】
【０００２】
無線ローカル・エリア・ネットワーク（wireless  local  area  network，ＷＬＡＮ）は、ステーション（station，ＳＴＡ）間の衝突を回避するために、搬送波感知多重アクセス／衝突回避（carrier  sense  multiple  access/collision  detection，ＣＳＭＡ／ＣＡ）メカニズムを使用する。具体的に、ＳＴＡが信号を送信する必要があり、衝突が起きるか又はチャネルがビジーからアイドルへ変わる場合に、ＳＴＡは、乱数を生成し、乱数をタイマの初期値として使用し、タイマを開始する。タイマの値が初期値から０に減ると、ＳＴＡは信号を送信し始める。このようにして、複数のＳＴＡが同時に信号を送信する必要がある場合に、より小さい乱数を生成するＳＴＡが最初に信号を送信し得る。
【０００３】
ＳＴＡは、いつでもチャネルに対してクリアチャネル評価（clear  channel  assessment，ＣＣＡ）を実行する。具体的に、チャネルで受信される無線信号の受信電力がＣＣＡ閾値よりも大きい場合には、それは、チャネルがビジーであることを示す。ＳＴＡは、ビジーチャネルでは信号を送信することができない。チャネルで受信される無線信号の受信電力がＣＣＡ閾値以下である場合には、それは、チャネルがアイドルであることを示す。ＳＴＡは、アイドルチャネルでは信号を送信することができる。
【０００４】
アクセスポイント（access  point，ＡＰ）も、信号を送信しＣＣＡを実行するために上記と同様の方法を使用することが規格で定められている。結果として、一般に、一方のＡＰが信号を送信する場合に、もう一方のＡＰは、チャネルがビジーであることを検出するので、そのもう一方のＡＰはチャネル上で信号を送信することができない。
【発明の概要】
【０００５】
本願は、チャネルリソース利用を改善するよう、パラレル伝送方法及び装置を提供する。
【０００６】
第１の態様に従って、本願は、パラレル伝送方法を提供する。方法は、ＷＬＡＮ制御デバイス（以下、制御デバイスと呼ばれる）が、第１アクセスポイントのための第１設定パラメータを設定することを含んでよく、第１設定パラメータは、第１ステーションセット及び開始時間を設定するために使用され、第１ステーションセットは、第１アクセスポイントに関連する１つ以上のステーションを含み、第１設定パラメータは、第１アクセスポイントがチャネルリソースを使用することによって開始時間に第１ステーションセット内の少なくとも１つのステーションへ第１ＷＬＡＮフレームを送信可能であることを示すために使用される。制御デバイスは、第２アクセスポイントのための第２設定パラメータを設定し、第２設定パラメータは、第２ステーションセット及び開始時間を設定するために使用され、第２ステーションセットは、第２アクセスポイントに関連する１つ以上のステーションを含み、第２設定パラメータは、第２アクセスポイントがチャネルリソースを使用することによって開始時間に第２ステーションセット内の少なくとも１つのステーションへ第２ＷＬＡＮフレームを送信可能であることを示すために使用される。第１ステーションセット内のいずれかのステーションと第２ステーションセット内のいずれかのステーションとの間の信号干渉は、予め定義された閾値よりも小さい（信号干渉が、予め定義された閾値よりも小さいか、又は予め定義された閾値以下であることを含む）。例えば、第１アクセスポイント及び第２アクセスポイントは、配置位置が互いに隣接している２つのアクセスポイントであってよい。
【０００７】
制御デバイスは、第１アクセスポイント又は第２アクセスポイントと一体化されるデバイスであってよく、あるいは、第１アクセスポイント及び第２アクセスポイントから独立したデバイスであってよい。例えば、制御デバイスが第１アクセスポイントと一体化される場合に、制御デバイスが第１アクセスポイントのための第１設定パラメータを設定することは、制御デバイスが制御デバイスのための第１設定パラメータを設定することを含んでよい。制御デバイスが第１アクセスポイントから独立したデバイスである場合に、制御デバイスが第１アクセスポイントのための第１設定パラメータを設定することは、制御デバイスが第１アクセスポイントのための第１設定パラメータを送信することを含んでよい。例えば、制御デバイスが第２アクセスポイントと一体化される場合に、制御デバイスが第１アクセスポイントのための第２設定パラメータを設定することは、制御デバイスが制御デバイスのための第２設定パラメータを設定することを含んでよい。制御デバイスが第２アクセスポイントから独立したデバイスである場合に、制御デバイスが第２アクセスポイントのための第２設定パラメータを設定することは、制御デバイスが第２アクセスポイントのための第２設定パラメータを送信することを含んでよい。
【０００８】
第１アクセスポイント及び第２アクセスポイントが、同時に同じチャネルリソースを使用することによって、第１アクセスポイント及び第２アクセスポイントのために別々に設定されたステーションセット内の少なくとも１つのステーションへＷＬＡＮフレームを別々に送信可能であるように、制御デバイスは、第１アクセスポイント及び第２アクセスポイントのための対応する設定パラメータを別々に設定することが知られ得る。このようにして、複数のアクセスポイントは、チャネルリソース利用を改善するよう、同じチャネルリソースを使用することによってＷＬＡＮフレームを送信することができる。信号を送信するアクセスポイントは、チャネルがビジーであることを検出せず、アクセスポイントは、同じ開始時間に信号を送信する。従って、一方のアクセスポイントの信号は、複数のアクセスポイントが同時に信号を送信するので、他方のアクセスポイントのＣＣＡ結果をビジーにしない。更に、第１ステーションセット内のいずれかのステーションと第２ステーションセット内のいずれかのステーションとの間の信号干渉は、予め定義された閾値よりも小さいので、並行して伝送されるＷＬＡＮフレームは、予め定義された閾値を適切に設定することによって、正確に復号され得る。
【０００９】
可能な設計で、第１設定パラメータは、チャネルリソースを設定するために更に使用され、あるいは、第２設定パラメータは、チャネルリソースを設定するために更に使用される。代替的に、第１設定パラメータは、チャネルリソースを設定するために更に使用され、かつ、第２設定パラメータは、チャネルリソースを設定するために更に使用される。この可能な設計は、制御デバイスがパラレル伝送のために複数のアクセスポイントによって使用されるチャネルリソースを指定する設定方法を提供する。チャネルリソースがアクセスポイントの動作チャネル（operating  channel）である場合に、設定パラメータは、チャネルリソースを設定する必要がない。
【００１０】
可能な設計で、第１設定パラメータは、第１ＷＬＡＮフレームの伝送電力を設定するために更に使用され、あるいは、第２設定パラメータは、第２ＷＬＡＮフレームの伝送電力を設定するために更に使用される。代替的に、第１設定パラメータは、第１ＷＬＡＮフレームの伝送電力を設定するために更に使用され、かつ、第２設定パラメータは、第２ＷＬＡＮフレームの伝送電力を設定するために更に使用される。この可能な設計は、並行して複数のアクセスポイントによって伝送されるＷＬＡＮフレーム（例えば、第１ＷＬＡＮフレーム及び／又は第２ＷＬＡＮフレーム）の伝送電力を設定する方法を提供する。このようにして、並行して複数のアクセスポイントによって伝送される一部又は全てのＷＬＡＮフレームの伝送電力は、主として制御デバイスによって設定される。これは、複数のアクセスポイントによって並行して伝送されるＷＬＡＮフレーム間の干渉を減らすことを助ける。
【００１１】
可能な設計で、第１ＷＬＡＮフレームは、第１トリガフレームであり、第１設定パラメータは、第１トリガフレームのトリガフレーム存続期間を設定するために更に使用され、第２ＷＬＡＮフレームは、第２トリガフレームであり、第２設定パラメータは、第２トリガフレームのトリガフレーム存続期間を設定するために更に使用され、第１トリガフレームのトリガフレーム存続期間は、第２トリガフレームのトリガフレーム存続期間と等しい。この可能な設計は、複数のアクセスポイントによって並行して伝送されるＷＬＡＮフレームがトリガフレーム（例えば、第１トリガフレーム及び第２トリガフレーム）である場合にトリガフレーム存続期間を設定する方法を提供する。このようにして、不一致のトリガフレーム存続期間によって引き起こされる次の問題は、有効に回避され得る：トリガフレームを完全に送信したアクセスポイントは、他のアクセスポイントによって完全には送信されていないトリガフレームをそのアクセスポイントが検出するので、チャネルがビジーであると決定し、それにより、トリガフレームを完全に送信したアクセスポイントは、チャネルを占有することができない。結果として、複数のアクセスポイントは、パラレル信号伝送を実行し続けることができない。
【００１２】
可能な設計で、方法は、制御デバイスが第１受信電力を取得することを更に含んでよく、第１受信電力は、第１アクセスポイントに関連する第１ステーションによって送信された信号を受信するために第１アクセスポイントによって使用される受信電力である。制御デバイスは、第２受信電力を取得し、第２受信電力は、第１ステーションによって送信された信号を受信するために第２アクセスポイントによって使用される受信電力である。更に、制御デバイスは、第２受信電力に対する第１受信電力の比（すなわち、第１ステーションの信号対干渉比）が第２の予め定義された閾値以上であることに基づいて、第１ステーションが第１ステーションセットに属すると決定する。確かに、第２受信電力に対する第１受信電力の比が第２の予め定義された閾値に満たない場合には、制御デバイスは、第１ステーションが第１ステーションセットに属さないと決定する。
【００１３】
例えば、制御デバイスが第１アクセスポイントと一体化される場合に、制御デバイスが第１受信電力を取得することは、制御デバイスが、受信電力を取得することができる任意の方法に従って第１受信電力を取得することを含んでよい。制御デバイスが第１アクセスポイントから独立したデバイスである場合に、制御デバイスが第１受信電力を取得することは、制御デバイスが、第１アクセスポイントによって送信された第１受信電力、又は第１受信電力を示すために使用される情報（例えば、第１受信電力のインデックス）を受信することを含んでよい。
【００１４】
例えば、制御デバイスが第２アクセスポイントと一体化される場合に、制御デバイスが第２受信電力を取得することは、制御デバイスが、受信電力を取得することができる任意の方法に従って第２受信電力を取得することを含んでよい。制御デバイスが第２アクセスポイントから独立したデバイスである場合に、制御デバイスが第２受信電力を取得することは、制御デバイスが、第２アクセスポイントによって送信された第２受信電力、又は第２受信電力を示すために使用される情報（例えば、第２受信電力のインデックス）を受信することを含んでよい。
【００１５】
可能な設計は、第１アクセスポイントに関連するステーション（例えば、第１ステーション）が第１ステーションセットに属するかどうかを判定する実施を提供することが分かる。具体的に、第１ステーションの信号対干渉比が第２の予め定義された閾値以上であることは、第１ステーションと第２ステーションセット内のいずれかのステーションとの間の信号が予め定義された閾値よりも小さいと決定する実施であることが理解され得る。
【００１６】
可能な設計で、方法は、制御デバイスが第１距離を取得することを更に含んでよく、第１距離は、第１アクセスポイントに関連する第１ステーションと第１アクセスポイントとの間の距離である。制御デバイスは、第１距離が第３の予め定義された閾値以下であることに基づいて、第１ステーションが第１ステーションセットに属すると決定する。確かに、第１距離が第３の予め定義された閾値よりも大きい場合に、制御デバイスは、第１ステーションが第１ステーションセットに属さないと決定する。
【００１７】
可能な設計は、第１アクセスポイントに関連するステーション（例えば、第１ステーション）が第１ステーションセットに属するかどうかを判定する他の実施を提供することが分かる。具体的に、第１ステーションと第１アクセスポイントとの間の距離が第３の予め定義された閾値以上であることは、第１ステーションと第２ステーションセット内のいずれかのステーションとの間の信号干渉が予め定義された閾値よりも小さいと決定する実施で割る。確かに、本願は、それに限られない。
【００１８】
相応して、可能な設計で、方法は、制御デバイスが第３受信電力を取得することを更に含んでよく、第３受信電力は、第２アクセスポイントに関連する第２ステーションによって送信された信号を受信するために第２アクセスポイントによって使用される受信電力である。制御デバイスは、第４受信電力を取得し、第４受信電力は、第２ステーションによって送信された信号を受信するために第１アクセスポイントによって使用される受信電力である。次いで、制御デバイスは、第４受信電力に対する第３受信電力の比が第２の予め定義された閾値以上であることに基づいて、第２ステーションが第２ステーションセットに属すると決定する。確かに、第４受信電力に対する第３受信電力の比が第２の予め定義された閾値に満たない場合に、制御デバイスは、第２ステーションが第２ステーションセットに属さないと決定する。他の可能な設計で、方法は、制御デバイスが第２距離を取得することを更に含んでよく、第２距離は、第２アクセスポイントに関連する第２ステーションと第２アクセスポイントとの間の距離である。制御デバイスは、第２距離が第３の予め定義された閾値以下であることに基づいて、第２ステーションが第２ステーションセットに属すると決定する。確かに、第２距離が第３の予め定義された閾値よりも大きい場合に、制御デバイスは、第２ステーションが第２ステーションセットに属さないと決定する。
【００１９】
第２の態様に従って、本願は、パラレル伝送方法を提供する。方法は、アクセスポイントが、ＷＬＡＮ制御デバイスによって送信された設定パラメータを受信することであり、設定パラメータは、ステーションセット及び開始時間を設定するために使用され、ステーションセットは、アクセスポイントに関連する１つ以上のステーションを含み、設定パラメータは、アクセスポイントがチャネルリソースを使用することによって開始時間にステーションセット内の少なくとも１つのステーションへＷＬＡＮフレームを送信可能であることを示すために使用される、前記受信することと、アクセスポイントが、設定パラメータに基づいて、チャネルリソースを使用することによって開始時間にステーションセット内の少なくとも１つのステーションへＷＬＡＮフレームを送信することとを含んでよい。例えば、第２の態様でのアクセスポイントは、具体的に、第１の態様での第１アクセスポイント又は第２アクセスポイントであってよい。
【００２０】
可能な設計で、設定パラメータは、チャネルリソースを設定するために更に使用される。
【００２１】
可能な設計で、設定パラメータは、ＷＬＡＮフレームの伝送電力を設定するために更に使用される。この場合に、アクセスポイントが、設定パラメータに基づいて、チャネルリソースを使用することによって開始時間にステーションセット内の少なくとも１つのステーションへＷＬＡＮフレームを送信することは、アクセスポイントが、設定パラメータに基づいて、チャネルリソース及びＷＬＡＮフレームの伝送電力を使用することによって開始時間にＷＬＡＮフレームを送信することを含んでよい。
【００２２】
可能な設計で、ＷＬＡＮフレームはトリガフレームであり、設定パラメータは、トリガフレーム存続期間を設定するために更に使用される。この場合に、アクセスポイントが、設定パラメータに基づいて、チャネルリソースを使用することによって開始時間にステーションセット内の少なくとも１つのステーションへＷＬＡＮフレームを送信することは、アクセスポイントが、開始時間にチャネルリソースを使用することによって、存続期間がトリガフレーム存続期間であるトリガフレームをステーションセット内の少なくとも１つのステーションへ送信することを含んでよい。
【００２３】
可能な設計で、第２の態様でのアクセスポイントは、具体的に、第１の態様での第１アクセスポイントであってよい。この場合に、第２の態様で提供される方法は、第１アクセスポイントが、ＷＬＡＮ制御デバイスによって送信された第１設定パラメータを受信することであり、第１設定パラメータは、第１ステーションセット及び開始時間を設定するために使用され、第１ステーションセットは、第１アクセスポイントに関連する１つ以上のステーションを含み、第１設定パラメータは、チャネルリソースを使用することによって開始時間に第１ステーションセット内の少なくとも１つのステーションへＷＬＡＮフレームを送信可能であることを示すために使用される、前記第１設定パラメータを受信することと、第１アクセスポイントが、第１設定パラメータに基づいて、チャネルリソースを使用することによって開始時間に第１ステーションセット内の少なくとも１つのステーションへＷＬＡＮフレームを送信することとを含んでよい。第１ステーションセット内のいずれかのステーションと第２ステーションセット内のいずれかのステーションとの間の信号干渉は、予め定義された閾値よりも小さい。第２ステーションセットは、第２アクセスポイントに関連する１つ以上のステーションを含み、第２アクセスポイントは、チャネルリソースを使用することによって開始時間に第２ステーションセット内の少なくとも１つのステーションへ第２データフレームを送信することができる。
【００２４】
可能な設計で、第２の態様でのアクセスポイントは、具体的に、第１の態様での第１アクセスポイントであってよく、方法は、第１アクセスポイントが第１受信電力を制御デバイスへ送信することを更に含んでよく、第１受信電力は、第１アクセスポイントに関連する第１ステーションによって送信された信号を受信するために第１アクセスポイントによって使用される受信電力であり、第２受信電力に対する第１受信電力の比が第２の予め定義された閾値よりも大きいことに基づいて、第１ステーションが第１ステーションセットに属すると決定するようデバイスを制御するために使用され、第２受信電力は、第１ステーションによって送信された信号を受信するために第２アクセスポイントによって使用される受信電力である。
【００２５】
第３の態様に従って、本願は、ＷＬＡＮ制御デバイスを提供し、ＷＬＡＮ制御デバイスは、第１の態様で提供されるいずれかの方法を実行するよう構成されてよい。可能な設計で、制御デバイスの機能モジュールは、第１の態様で提供される方法に従って、分割を通じて取得されてよい。例えば、機能モジュールは、機能に対応する分割を通じて取得されてよく、あるいは、２つ以上の機能が、１つの処理モジュールに組み込まれてよい。
【００２６】
第４の態様に従って、本願は、アクセスポイントを提供し、アクセスポイントは、第２の態様で提供されるいずれかの方法を実行するよう構成されてよい。可能な設計で、アクセスポイントの機能モジュールは、第２の態様で提供される方法に従って、分割を通じて取得されてよい。例えば、機能モジュールは、機能に対応する分割を通じて取得されてよく、あるいは、２つ以上の機能が、１つの処理モジュールに組み込まれてよい。
【００２７】
第５の態様に従って、本願は、ＷＬＡＮ制御デバイスを提供し、ＷＬＡＮ制御デバイスは、プロセッサ及びトランシーバを含んでよい。プロセッサは、トランシーバを通じて第１アクセスポイントへ第１設定パラメータを送信するよう構成され、第１設定パラメータは、第１ステーションセット及び開始時間を設定するために使用され、第１ステーションセットは、第１アクセスポイントに関連する１つ以上のステーションを含み、第１設定パラメータは、第１アクセスポイントがチャネルリソースを使用することによって開始時間に第１ステーションセット内の少なくとも１つのステーションへ第１ＷＬＡＮフレームを送信可能であることを示すために使用され、プロセッサは、トランシーバを通じて第２アクセスポイントへ第２設定パラメータを送信するよう構成され、第２設定パラメータは、第２ステーションセット及び開始時間を設定するために使用され、第２ステーションセットは、第２アクセスポイントに関連する１つ以上のステーションを含み、第２設定パラメータは、第２アクセスポイントがチャネルリソースを使用することによって開始時間に第２ステーションセット内の少なくとも１つのステーションへ第２ＷＬＡＮフレームを送信可能であることを示すために使用される。第１ステーションセット内のいずれかのステーションと第２ステーションセット内のいずれかのステーションとの間の信号干渉は、予め定義された閾値よりも小さい。
【００２８】
第６の態様に従って、本願は、アクセスポイントを提供し、アクセスポイントは、プロセッサ及びＷＬＡＮチップを含む。プロセッサは、ＷＬＡＮチップのための第１設定パラメータを設定するよう構成され、第１設定パラメータは、第１ステーションセット及び開始時間を設定するために使用され、第１ステーションセットは、アクセスポイントに関連する１つ以上のステーションを含み、第１設定パラメータは、ＷＬＡＮチップがチャネルリソースを使用することによって開始時間に第１ステーションセット内の少なくとも１つのステーションへ第１ＷＬＡＮフレームを送信可能であることを示すために使用される。ＷＬＡＮチップは、プロセッサから複数のＷＬＡＮフレームを受信し、複数のＷＬＡＮフレームから、受信側が第１ステーションセット内のステーションであるＷＬＡＮフレームを第１ＷＬＡＮフレームとして選択し、第１ＷＬＡＮフレームを開始時間にチャネルリソースを使用することによって送信するよう構成される。プロセッサは、他のアクセスポイントのための第２設定パラメータを設定する（例えば、無線トランシーバがＷＬＡＮチップを含み得る場合に、有線／無線トランシーバを通じて第２設定パラメータを送信する）よう更に構成され、第２設定パラメータは、第２ステーションセット及び開始時間を設定するために使用され、第２ステーションセットは、第２アクセスポイントに関連する１つ以上のステーションを含み、第２設定パラメータは、他のアクセスポイントがチャネルリソースを使用することによって開始時間に第２ステーションセット内の少なくとも１つのステーションへ第２ＷＬＡＮフレームを送信可能であることを示すために使用される。
【００２９】
第７の態様に従って、本願は、アクセスポイントを提供し、アクセスポイントは、トランシーバ、プロセッサ、及びＷＬＡＮチップを含んでよい。プロセッサは、トランシーバを通じて、ＷＬＡＮ制御デバイスによって送信された設定パラメータを受信するよう構成され、設定パラメータは、ステーションセット及び開始時間を設定するために使用され、ステーションセットは、アクセスポイントに関連する１つ以上のステーションを含み、設定パラメータは、アクセスポイントがチャネルリソースを使用することによって開始時間にステーションセット内の少なくとも１つのステーションへターゲットＷＬＡＮフレームを送信可能であることを示すために使用される。ＷＬＡＮチップは、プロセッサから複数のＷＬＡＮを受信し、複数のＷＬＡＮフレームから、受信側が前記ステーションセット内のステーションであるＷＬＡＮフレームをターゲットＷＬＡＮフレームとして選択し、ターゲットＷＬＡＮフレームを開始時間にチャネルリソースを使用することによって送信するよう構成される。例えば、トランシーバは、有線トランシーバ又は無線トランシーバであってよい。無線トランシーバは、ＷＬＡＮチップを含んでよい。
【００３０】
第８の態様に従って、本願は、制御デバイス又はアクセスポイントの機能を実装するよう構成される処理装置を更に提供する。処理装置は、プロセッサ及びインターフェースを含み、処理装置は、チップであってよい。プロセッサは、ハードウェアによって実装されてよく、あるいは、ソフトウェアによって実装されてよい。プロセッサがハードウェアによって実装される場合に、プロセッサは、ロジック回路、集積回路、などであってよく、あるいは、プロセッサがソフトウェアによって実装される場合に、プロセッサは、汎用プロセッサであってよく、メモリに記憶されているソフトウェアコードを読み出すことによって実装される。メモリは、プロセッサに組み込まれてよく、プロセッサの外に設置されてよく、あるいは、独立して存在してよい。
【００３１】
本願は、コンピュータ可読記憶媒体を更に提供する。コンピュータ可読記憶媒体はプログラムコードを記憶し、プログラムコードは、第１の態様で提供されるいずれかの方法におけるステップの一部又は全てを実行するための命令を含む。
【００３２】
本願は、コンピュータ可読記憶媒体を更に提供する。コンピュータ可読記憶媒体はプログラムコードを記憶し、プログラムコードは、第２の態様で提供されるいずれかの方法におけるステップの一部又は全てを実行するための命令を含む。
【００３３】
本願は、コンピュータプログラム製品を更に提供する。コンピュータプログラム製品がコンピュータで実行される場合に、コンピュータは、第１の態様で提供されるいずれかの方法の一部又は全てのステップを実行することを可能にされる。
【００３４】
本願は、コンピュータプログラム製品を更に提供する。コンピュータプログラム製品がコンピュータで実行される場合に、コンピュータは、第２の態様で提供されるいずれかの方法の一部又は全てのステップを実行することを可能にされる。
【００３５】
先に提供されている制御デバイス、アクセスポイント、処理装置、コンピュータ可読記憶媒体、コンピュータプログラム製品、などのうちのいずれか１つの具体的な実施及び有利な効果については、第１の態様又は第２の態様を参照されたい。詳細は、ここで再び記載されない。
【図面の簡単な説明】
【００３６】
【図１】典型的なＷＬＡＮ配置シナリオにおけるシステムの概略図である。
【図２】本願の実施形態に適用され得るネットワークアーキテクチャの概略図である。
【図３】本願の実施形態に従うパラレル伝送方法の概略図である。
【図４】本願の実施形態に従うＳＴＡ間の干渉の概略図である。
【図５】本願の実施形態に従って、設定パラメータに基づいてＡＰによって信号を伝送する略フローチャートである。
【図６】本願の実施形態に従うパラレル伝送方法のプロセスの概略図１である。
【図７】本願の実施形態に従うパラレル伝送方法のプロセスの概略図２である。
【図８】本願の実施形態に従う制御デバイスの構造の概略図１である。
【図９】本願の実施形態に従う制御デバイスの構造の概略図２である。
【図１０】本願の実施形態に従う制御デバイスの構造の概略図３である。
【図１１】本願の実施形態に従うアクセスポイントの構造の概略図１である。
【図１２】本願の実施形態に従うアクセスポイントの構造の概略図２である。
【発明を実施するための形態】
【００３７】
本願の実施形態における「及び／又は」という語は、関連するオブジェクトについて記載する関連付け関係を単に示し、３つの関係が存在する可能性があることを表す。例えば、Ａ及び／又はＢは、次の３つの場合：Ａのみが存在、Ａ及びＢの両方が存在、及びＢのみが存在を表し得る。更に、本願の明細書中で、「複数の〜」は、別なふうに特定されない限りは、２又は２よりも多いを意味する。更に、本願の実施形態における技術的解決法について明りょうに記載すべく、「第１」及び「第２」といった語が、基本的に同じ機能及び目的を有している同じアイテム又は類似したアイテムを区別するために本願の実施形態で使用される。当業者であれば、「第１」及び「第２」といった語が数量又は実行順序を限定しないこと、そして、「第１」及び「第２」といった語が明確な違いを示さないことを理解し得る。
【００３８】
本願の実施形態で提供される技術的解決法は、ＷＬＡＮに適用されてよい。図１は、典型的なＷＬＡＮ配置シナリオにおけるシステムの概略図である。図１に示されるシステムは、複数の基本サービスセット（basic  service  set，ＢＳＳ）を含んでよく、各ＢＳＳは、１つ以上のＡＰと、ＡＰ２０に関連する１つ以上のＳＴＡとを含んでよい。ＡＰは、ＳＴＡを含むデバイスであってよく、ＡＰに関連するＳＴＡに無線媒体を通じて分配サービスへのアクセスを提供する。１つのＡＰは、１つのＳＴＡ及び１つの分配システムアクセス機能（distribution  system  access  function，ＤＳＡＦ）を含む。ＳＴＡは、非ＡＰステーション（非ＡＰ  ＳＴＡ）又はＡＰ、例えば、ＷＬＡＮに対応する携帯電話機、ＷＬＡＮに対応するタブレットコンピュータ、ＷＬＡＮに対応するセットトップボックス、ＷＬＡＮに対応するスマートテレビジョン、ＷＬＡＮに対応するウェアラブルデバイス、又はＷＬＡＮに対応するコンピュータである。
【００３９】
図２は、本願の実施形態に適用され得るネットワークアーキテクチャの概略図である。図２に示されるネットワークアーキテクチャは、ＷＬＡＮ制御デバイス１０（以下、簡単に制御デバイスと呼ばれる）と、少なくとも２つのＡＰ２０と、少なくとも２つのＡＰ２０の夫々へ接続される１つ以上のＳＴＡ３０とを含む。少なくとも２つのＡＰ２０は、配置位置が隣接している少なくとも２つのＡＰであってよい。
【００４０】
制御デバイス１０は、少なくとも２つのＡＰ２０のうちの１つのＡＰ２０と一体化されてよい。この場合に、ＡＰ２０は、制御デバイス１０の機能及びＡＰの機能を組み込むデバイスである、と考えられ得る。ネットワークアーキテクチャ内の少なくとも２つのＡＰが制御デバイス１０の機能を有している場合に、どのＡＰが制御デバイス１０として機能するかは、ネットワーク配置中に前もってセットされてよく、あるいは、情報交換を通じて少なくとも２つのＡＰ２０によって決定されてよい。これは、本願のこの実施形態で制限されない。いずれか２つのＡＰは、有線で直接的に接続、例えば、Ｅｔｈｅｒｎｅｔケーブルを通じて接続されてよく、あるいは、有線で間接的に、例えば、スイッチを通じて接続されてよい。隣接するＡＰはまた、無線でも接続されてよい。更に、制御デバイス１０はまた、少なくとも２つのＡＰ２０から独立したデバイスであってもよい。図２では、制御デバイス１０が少なくとも２つのＡＰ２０から独立したデバイスである例が、説明のために使用される。
【００４１】
少なくとも２つのＡＰ２０が制御デバイスの１０の制御下でパラレル伝送を実装することは、ネットワーク配置中に前もってセットされてよく、あるいは、情報交換を通じて決定されてよい。これは、本願で制限されない。
【００４２】
以下は、少なくとも２つのＡＰ２０が第１ＡＰ及び第２ＡＰを含み、第１ＡＰ及び第２ＡＰが配置位置において隣接している２つのＡＰであるところの例を使用することによって、図２に示されるネットワークアーキテクチャにおけるデバイス（制御デバイス１０、第１ＡＰ、及び第２ＡＰを含む）の機能について記載する。
【００４３】
制御デバイス１０は、第１ＡＰのための第１設定パラメータを設定し、かつ、第２ＡＰのための第２設定パラメータを設定するよう構成される。第１設定パラメータは、第１ＳＴＡセット及び開始時間を設定するために使用され、第１ＳＴＡセットは、第１ＡＰに関連する１つ以上のＳＴＡを含む。第１設定パラメータは、第１ＡＰが第１チャネルリソースを使用することによって開始時間に第１ＳＴＡセット内の少なくとも１つのＳＴＡへ第１ＷＬＡＮフレームを送信可能であることを示すために使用される。第２設定パラメータは、第２ＳＴＡセット及び開始時間を設定するために使用され、第２ＳＴＡセットは、第２ＡＰに関連する１つ以上のＳＴＡを含む。第２設定パラメータは、第２ＡＰが第１チャネルリソースを使用することによって開始時間に第２ＳＴＡセット内の少なくとも１つのＳＴＡへ第２ＷＬＡＮフレームを送信可能であることを示すために使用される。第１ＳＴＡセット内のいずれかのＳＴＡと第２ＳＴＡセット内のいずれかのＳＴＡとの間の信号干渉は、予め定義された閾値よりも小さい。干渉が予め定義された閾値よりも小さいことは、干渉が予め定義された閾値よりも小さいこと、又は干渉が予め定義された閾値以下であることを含む。
【００４４】
具体的に、制御デバイス１０が第１ＡＰと一体化される場合に、制御デバイス１０が第１ＡＰのための第１設定パラメータを設定することは、制御デバイス１０が制御デバイス１０のための第１設定パラメータを設定することとして理解され得る。制御デバイス１０が第１ＡＰから独立したデバイスである場合に、制御デバイス１０が第１ＡＰのための第１設定パラメータを設定することは、制御デバイス１０が第１設定パラメータを第１ＡＰへ送信することとして理解され得る。制御デバイス１０が第２ＡＰと一体化されたデバイスである場合に、制御デバイス１０が第２ＡＰのための第２設定パラメータを設定することは、制御デバイス１０が制御デバイス１０のための第２設定パラメータを設定することとして理解され得る。制御デバイス１０が第２ＡＰから独立したデバイスである場合に、制御デバイスが第２ＡＰのための第２設定パラメータを設定することは、制御デバイス１０が第２設定パラメータを第２ＡＰへ送信することとして理解され得る。
【００４５】
第１ＡＰは、第１設定パラメータに基づいて、第１チャネルリソースを使用することによって開始時間に第１ＳＴＡセット内の少なくとも１つのＳＴＡへ第１ＷＬＡＮフレームを送信するよう構成される。例えば、第１ＡＰは、開始時間に第１設定パラメータに基づいて、第１チャネルリソースを使用することによって第１ＳＴＡセット内の少なくとも１つのＳＴＡへ第１ＷＬＡＮフレームを送信し始めるよう構成される。
【００４６】
第２ＡＰは、第２設定パラメータに基づいて、第１チャネルリソースを使用することによって開始時間に第２ＳＴＡセット内の少なくとも１つのＳＴＡへ第２ＷＬＡＮフレームを送信するよう構成される。例えば、第２ＡＰは、開始時間に第２設定パラメータに基づいて、第１チャネルリソースを使用することによって第２ＳＴＡセット内の少なくとも１つのＳＴＡへ第２ＷＬＡＮフレームを送信し始めるよう構成される。
【００４７】
第１ＷＬＡＮフレーム及び第２ＷＬＡＮフレームは、次の：データフレーム（data  frame）、制御フレーム、又は管理フレーム、のうちのいずれか１つを含んでよい。第１ＷＬＡＮフレーム及び第２ＷＬＡＮフレームのタイプは、同じであってよく、あるいは、異なってよい。
【００４８】
チャネルリソースは、チャネル又はチャネル組み合わせ（例えば、プライマリチャネル又は非プライマリチャネルの組み合わせ）であってよく、あるいは、チャネル分割後に取得される時間周波数チャネルリソース及び／又は空間領域チャネルリソースであってよい。時間周波数分割に基づいて、各チャネルは複数のリソースユニット（すなわち、ＲＵ）に分割されてよい。１つのチャネルを複数のＲＵに分割する方法は、本願のこの実施形態で制限されない。空間領域分割に基づいて、チャネルは、チャネル上でＷＬＡＮフレームを伝送するために使用される空間ストリームに分割されてよい。チャネルは周波数領域範囲であり、周波数領域範囲のサイズは、例えば、２０メガヘルツ（ＭＨｚ）である。
【００４９】
本願のこの実施形態で提供される技術的解決法では、制御デバイスは、第１ＡＰ及び第２ＡＰのための対応する設定パラメータを別々に設定してよく、それにより、第１ＡＰ及び第２ＡＰは、同じチャネルリソースを使用することによって同じ開始時間に、第１ＡＰ及び第２ＡＰのために別々に設定されたＳＴＡセット内の少なくとも１つのＳＴＡへＷＬＡＮフレームを送信することができることが分かる。このようにして、複数のＡＰは、チャネルリソース利用を改善するように、同じチャネルリソースを使用することによって並行してＷＬＡＮフレームを伝送することができる。信号を送信するアクセスポイントは、チャネルがビジーであることを検出せず、そして、アクセスポイントは同じ開始時間に信号を送信する。従って、１つのアクセスポイントの信号は、複数のアクセスポイントが同時に信号を送信するので、他のアクセスポイントのＣＣＡ結果をビジーにしない。更に、第１ステーションセット内のいずれかのステーションと第２ステーションセット内のいずれかのステーションとの間の信号干渉は、予め定義された閾値よりも小さいので、並行して伝送されるＷＬＡＮフレームは、予め定義された閾値を適切に設定することによって、正確に復号され得る。
【００５０】
広範囲に、第１ＡＰの配置位置に隣接する複数の第２ＡＰがある場合に、制御デバイスは、第１ＡＰに隣接する複数の第２ＡＰのために別々に１つの第２ＳＴＡセット及び開始時間を設定し得る。この場合に、第１ＳＴＡセット内のいずれかのＳＴＡと第２ＳＴＡセット内のいずれかのＳＴＡとの間の信号干渉が予め定義された閾値よりも小さいことは、第１ＳＴＡセット内のいずれかのＳＴＡと各第２ＳＴＡセット内のいずれかのＳＴＡとの間の信号干渉が予め定義された閾値よりも小さいことに拡張され得る。更に、ＳＴＡ間の信号干渉が予め定義された閾値よりも小さいかどうかを直接的に判定することに加えて、ＳＴＡ間の信号干渉が予め定義された閾値よりも小さいＳＴＡを決定するために、他の方法が使用されてもよい。例えば、ＳＴＡが位置付けられ、ＳＴＡに関連するＡＰからの距離が距離閾値に満たない複数のＳＴＡは、信号干渉が予め定義された閾値よりも小さいＳＴＡとして使用される。
【００５１】
例において、本願のこの実施形態が適用可能であるシナリオは、複数のＡＰが一様に配置されるシナリオ、例えば、大規模ホール、例えば、様々な試合を見るために使用されるホールであってよい。このシナリオで、ＳＴＡの位置は特定の範囲において固定され、ＳＴＡの位置は一様に分布し、ＳＴＡの数量は比較的に多い。このシナリオで、複数のＡＰが通常は配置され、各ＡＰはエリア内のＳＴＡと通信する。この場合に、ＡＰによって送信される信号に対して、そのＡＰの周りの他のＡＰによって送信される信号によって引き起こされる干渉は、おおよそ同じである。従って、制御デバイスは、ＡＰのために設定されるＳＴＡセットを決定するために、ＡＰによって送信される信号に対して、そのＡＰの周りのＡＰによって送信される信号によって引き起こされる干渉を測定してよい。
【００５２】
以下は、図１及び図２を参照して、本願の実施形態で提供されるパラレル伝送方法について記載する。以下は、説明のために、制御デバイスが第１ＡＰ及び第２ＡＰから独立したデバイスであるところの例を使用する。統一した記載がここでは与えられ、詳細は以下で記載されない。
【００５３】
図３は、本願の実施形態に従うパラレル伝送方法の概略図である。方法は、次のステップを含む。
【００５４】
Ｓ１０１：制御デバイスは、第１ＳＴＡセット及び第２ＳＴＡセットを決定する。第１ＳＴＡセットは、第１ＡＰに関連する１つ以上のＳＴＡを含み、第２ＳＴＡセットは、第２ＡＰに関連する１つ以上のＳＴＡを含む。第１ＳＴＡセット内のいずれかのＳＴＡと第２ＳＴＡセット内のいずれかのＳＴＡとの間の信号干渉は、予め定義された閾値よりも小さい。
【００５５】
第１ＡＰ及び第２ＡＰに関連するＳＴＡの位置が固定である場合に、第１ＳＴＡセット及び第２ＳＴＡセットは、手動で指定されてよい。このシナリオでは、Ｓ１０１は省略されてよい。
【００５６】
制御デバイスによって第１ＳＴＡセット及び第２ＳＴＡセットを決定するトリガ条件は、本願のこの実施形態で制限されない。例えば、トリガ条件は、周期トリガであってよく、あるいは、イベントトリガであってよい。第１ＳＴＡセット内のＳＴＡは、第１ＡＰに関連する一部又は全てのＳＴＡである。第２ＳＴＡセット内のＳＴＡは、第２ＡＰに関連する一部又は全てのＳＴＡである。
【００５７】
第１ＳＴＡセット内のいずれかのＳＴＡと第２ＳＴＡセット内のいずれかのＳＴＡとの間の信号干渉が予め定義された閾値よりも小さい具体的な表現形式は、本願のこの実施形態で制限されない。例えば、より大きい信号対干渉比は、より強い干渉強度を示す。従って、第１ＳＴＡセット内のいずれかのＳＴＡと第２ＳＴＡセット内のいずれかのＳＴＡとの間の信号干渉が予め定義された閾値よりも小さいことは、次のように、第１ＳＴＡセット内のいずれかのＳＴＡと第２ＳＴＡセット内のいずれかのＳＴＡとの間の信号対干渉比が第２の予め定義された閾値以上である、と表現されてよい。他の例として、ＡＰにより近いＳＴＡは、他のＡＰに関連するＳＴＡからの干渉をより受けない。従って、第１ＳＴＡセット内のいずれかのＳＴＡと第２ＳＴＡセット内のいずれかのＳＴＡとの間の信号干渉が予め定義された閾値よりも小さいことは、次のように、第１ＳＴＡセット内のいずれかのＳＴＡと第１ＡＰとの間の距離が第３の予め定義された閾値以下であり、第２ＳＴＡセット内のいずれかのＳＴＡと第２ＡＰとの間の距離が第４の予め定義された閾値以下である、と表現されてよい。第３の予め定義された閾値は、第４の予め定義された閾値と等しくても又は等しくなくてもよい。確かに、本願はそれに限られない。
【００５８】
第１ＳＴＡが第１ＡＰに関連するいずれかのＳＴＡであり、第２ＳＴＡが第２ＡＰに関連するいずれかのＳＴＡであるとすると、第１ＳＴＡと第２ＳＴＡとの間の信号干渉は、次の場合のうちの１つを含んでよい。
【００５９】
場合１：第１ＡＰによって第１ＳＴＡへ送信される信号が、第２ＡＰによって送信される信号によって干渉される。
【００６０】
場合２：第２ＡＰによってだにＳＴＡへ送信される信号が、第１ＡＰによって送信される信号によって干渉される。
【００６１】
例において、第１ＳＴＡと第２ＳＴＡとの間の信号干渉が、具体的に、第１ＡＰによって第１ＳＴＡへ送信される信号が第２ＡＰによって送信される信号によって干渉されること（すなわち、場合１）であることは、一例として使用され、信号対干渉比は、図４の（ａ）で示されるように、第２ＡＰによって送信された信号を受信するために第１ＳＴＡによって使用される受信電力Ｐ２に対する、第１ＡＰによって送信された信号を受信するために第１ＳＴＡによって使用される受信電力Ｐ１の比として表現され得る。信号がＳＴＡからＡＰへ伝送される場合に起こる減衰が、信号がＡＰからＳＴＡへ伝送される場合に起こる減衰と同じであると考えると、信号対干渉比は、代替的に、図４の（ｂ）で示されるように、第１ＳＴＡによって送信された信号を受信するために第２ＡＰによって使用される受信電力Ｐ２に対する、第１ＳＴＡによって送信された信号を受信するために第１ＡＰによって使用される受信電力Ｐ１の比として表現されてよい。信号対干渉比が第２の予め定義された閾値以上である場合に、制御デバイスは、第１ＳＴＡが第１ＳＴＡセットに属すると決定し得る。そうでなければ、制御デバイスは、第１ＳＴＡが第１ＳＴＡセットに属さないと決定してよい。
【００６２】
これに基づいて、Ｓ１０１の前に、方法は、次のステップを更に含んでよい：制御デバイスは、第１ＡＰによって送信された第１受信電力を受信し、第１受信電力は、第１ＳＴＡによって送信された信号を受信するために第１ＡＰによって使用される受信電力、すなわち、受信電力Ｐ１である。制御デバイスは、第２ＡＰによって送信された第２受信電力を受信し、第２受信電力は、第１ＳＴＡによって送信された信号を受信するために第２ＡＰによって使用される受信電力、すなわち、受信電力Ｐ２である。この場合に、Ｓ１０１は、次のステップを含んでよい：第２受信電力に対する第１受信電力の比（すなわち、Ｐ１／Ｐ２）が第２の予め定義された閾値以上である場合に、制御デバイスは、第１ＳＴＡが第１ＳＴＡセットに属すると決定する。比が第２の予め定義された閾値よりも小さい場合には、制御デバイスは、第１ＳＴＡが第１ＳＴＡセットに属さないと決定する。
【００６３】
同様に、第１ＳＴＡと第２ＳＴＡとの間の信号干渉が、具体的に、第２ＡＰによって第２ＳＴＡへ送信される信号が第１ＡＰによって送信される信号によって干渉されることであること（すなわち、場合２）は、一例として使用され、信号対干渉比は、第２ＳＴＡによって送信された信号を受信するために第１ＡＰによって使用される受信電力Ｐ４に対する、第２ＳＴＡによって送信された信号を受信するために第２ＡＰによって使用される受信電力Ｐ３の比として表現され得る。信号対干渉比が第２の予め定義された閾値以上である場合に、制御デバイスは、第２ＳＴＡが第２ＳＴＡセットに属すると決定し得る。信号対干渉比が第２の予め定義された閾値に満たない場合には、制御デバイスは、第２ＳＴＡが第２ＳＴＡセットに属さないと決定してよい。
【００６４】
これに基づいて、Ｓ１０１の前に、方法は、次のステップを更に含んでよい：制御デバイスは、第２ＡＰによって送信された第３受信電力を受信し、第３受信電力は、第２ＳＴＡによって送信された信号を受信するために第２ＡＰによって使用される受信電力、すなわち、受信電力Ｐ３である。制御デバイスは、第１ＡＰによって送信された第４受信電力を受信し、第４受信電力は、第２ＳＴＡによって送信された信号を受信するために第１ＡＰによって使用される受信電力、すなわち、受信電力Ｐ４である。この場合に、Ｓ１０１は、次のステップを含んでよい：第４受信電力に対する第３受信電力の比（すなわち、Ｐ３／Ｐ４）が第２の予め定義された閾値以上である場合に、制御デバイスは、第２ＳＴＡが第２ＳＴＡセットに属すると決定する。比が第２の予め定義された閾値よりも小さい場合には、制御デバイスは、第２ＳＴＡが第２ＳＴＡセットに属さないと決定する。
【００６５】
任意に、如何なる受信電力（例えば、Ｐ１乃至Ｐ４のうちのいずれか１つ）も、チャネル品質インジケータ（channel  quality  indicator，ＣＱＩ）、又は受信信号強度指示（received  signal  strength  indication，ＲＳＳＩ）を使用することによって、表現されてよい。これは、本願のこの実施形態で制限されない。
【００６６】
他の例では、第１ＳＴＡと第２ＳＴＡとの間の信号干渉が場合１又は場合２で表現されるかどうかにかかわらず、第１ＳＴＡと第１ＡＰとの間の距離が第３の予め定義された距離以下である場合に、第１ＳＴＡは第１ＡＰの「中心ユーザ」であると考えられてよく、この場合に、制御デバイスは、第１ＳＴＡが第１ＳＴＡセットに属すると決定し得る。そうでなければ、第１ＳＴＡは第１ＡＰの「エッジユーザ」であると考えられてよく、制御デバイスは、第１ＳＴＡが第１ＳＴＡセットに属さないと決定し得る。
【００６７】
これに基づいて、任意に、Ｓ１０１の前に、方法は、第１ＡＰが第１ＡＰに関連する１つ以上のＳＴＡの位置を測定し、測定を通じて得られた位置に基づいて、第１ＡＰからの距離が第３の予め定義された閾値以下であるＳＴＡの識別子を決定し、決定されたＳＴＡの識別子を制御デバイスへ送信することを更に含んでよく、それにより、制御デバイスは第１ＳＴＡセットを決定する。代替的に、第１ＡＰは、制御デバイスに対して、測定を通じて得られた位置及びその位置に対応するＳＴＡの識別子を送信し、制御デバイスは、第１ＳＴＡセットを決定するよう、第１ＡＰからの距離が第３の予め定義された閾値以下であるＳＴＡの識別子を決定する。確かに、本願は、それに限られない。
【００６８】
同様に、第１ＳＴＡと第２ＳＴＡとの間の信号干渉が場合１又は場合２で表現されるかどうかにかかわらず、第２ＳＴＡと第２ＡＰとの間の距離が第４の予め定義された距離以下である場合に、制御デバイスは、第２ＳＴＡが第２ＳＴＡセットに属すると決定し得る。そうでなければ、制御デバイスは、第２ＳＴＡが第２ＳＴＡセットに属さないと決定し得る。これに基づいて、第２ＡＰによって実行されるステップについては、第１ＡＰによって実行されるステップを参照されたい。詳細は、ここで再び記載されない。
【００６９】
Ｓ１０２：制御デバイスは、第１設定パラメータを第１ＡＰへ送信し、第１設定パラメータは、第１ＳＴＡセット及び開始時間を設定するために使用される。第１設定パラメータは、第１ＡＰが第１チャネルリソースを使用することによって開始時間に第１ＳＴＡセット内の少なくとも１つのＳＴＡへ第１ＷＬＡＮフレームを送信可能であることを示すために使用される。
【００７０】
第１ＳＴＡセット及び開始時間を設定するよう第１設定パラメータで運ばれる情報のタイプは、本願のこの実施形態で制限されない。例えば、第１ＳＴＡセットは、第１ＳＴＡセットに含まれるＳＴＡの識別子を運ぶことによって、設定されてよい。例えば、開始時間は、開始時間を運ぶことによって、設定されてよい。
【００７１】
任意に、設定パラメータ（第１設定パラメータ及び後述された第２設定パラメータを含む）は、Ｅｈｔｅｒｎｅｔの有線ネットワークを通じて送信されてよく、あるいは、エアインターフェースを通じて送信されてよい。例えば、大規模なネットワーク、例えば、比較的に高いＡＰ配置密度を有するネットワークでは、設定パラメータは、Ｅｈｔｅｒｎｅｔの有線ネットワークを通じてＩＰパケットの形で送信されてよい。確かに、本願はそれに限られない。
【００７２】
実施において、制御デバイスは、第１ＷＬＡＮフレームの特定のＷＬＡＮフレームタイプ（例えば、データフレーム又はトリガフレーム）を設定しなくてもよいが、第１ＡＰは、第１ＷＬＡＮフレームを決定し、例えば、実際の伝送要件に基づいて第１ＷＬＡＮフレームを決定する。他の実施では、制御デバイスは、代替的に、第１ＷＬＡＮフレームの特定のＷＬＡＮフレームタイプを設定してもよい。
【００７３】
Ｓ１０３：第１ＡＰは、制御デバイスによって送信された第１設定パラメータを受信する。
【００７４】
Ｓ１０４：第１ＡＰは、第１設定パラメータに基づいて、第１チャネルリソースを使用することによって開始時間に第１ＳＴＡセット内の少なくとも１つのＳＴＡへ第１ＷＬＡＮフレームを送信する。例えば、第１ＡＰは、第１チャネルリソースを使用することによって開始時間に第１ＳＴＡセット内の少なくとも１つのＳＴＡへ第１ＷＬＡＮフレームを送信し始めるよう構成される。
【００７５】
第１ＡＰに関して、第１設定パラメータは参考として使用されてよく、第１ＡＰは必ずしも、第１チャネルリソースを使用することによって開始時間に第１ＳＴＡセット内の少なくとも１つのＳＴＡへ第１ＷＬＡＮフレームを送信する必要がない。例えば、第１ＡＰが開始時間に、送信されるべきＷＬＡＮフレームを有していない場合には、Ｓ１０４は実行されない。他の例として、第１チャネルリソースが開始時間に利用不可能である（チャネルがビジーである）場合には、Ｓ１０４は実行されない。
【００７６】
第１ＡＰが第１ＷＬＡＮフレームを送信すべき第１ＳＴＡセット内のＳＴＡ又は複数のＳＴＡを選択する方法は、本願のこの実施形態で制限されない。具体的に、選択は、実際の伝送要件に基づいて実行されてよい。例えば、第１ＳＴＡセット内の１つ以上のＳＴＡをスケジューリングすると決定する場合に、第１ＡＰは、第１ＷＬＡＮフレームを１つ以上のＳＴＡへ送信することを選択してよい。第１ＡＰは、関連するＳＴＡによって送信されたバッファステータス報告（buffer  status  report，ＢＳＲ）に基づいて、スケジューリングされるべきＳＴＡを決定してよく、あるいは、信号が１つ以上のＳＴＡへ送信される必要がある場合に、ＳＴＡ又は複数のＳＴＡがスケジューリングされるべきＳＴＡであると決定する。確かに、本願はそれに限られない。更に、同じＡＰに関連する異なるＳＴＡは、同時に信号を伝送するために同じチャネルリソースを使用することができないので、第１ＡＰは、第１ＡＰの、パラレル伝送のために使用されるチャネルリソースのタイプの数に基づいて、スケジューリングされるべきＳＴＡの数を更に決定してもよい。異なるチャネルリソースは、異なるタイプのチャネルリソースと見なされる。例えば、チャネルリソースが時間周波数チャネルリソース及び空間領域チャネルリソースを含む場合に、第１ＡＰの、パラレル伝送のために使用される時間周波数チャネルリソースは、ＲＵ１、ＲＵ２、及びＲＵ３であり、パラレル伝送のために使用される空間領域チャネルリソースは、空間ストリーム１及び空間ストリーム２である。この場合に、パラレル伝送のために使用されるチャネルリソースのタイプは、別々に、ＲＵ１及び空間ストリーム１、ＲＵ１及び空間ストリーム２、ＲＵ２及び空間ストリーム１、ＲＵ２及び空間ストリーム２、ＲＵ３及び空間ストリーム１、並びにＲＵ３及び空間ストリーム２である。言い換えれば、パラレル伝送のために使用される６タイプのチャネルリソースがある。説明の容易のために、以下は、チャネルリソースが時間周波数チャネルリソースである場合について記載する。
【００７７】
第１チャネルリソースは、第１設定パラメータ又は他の設定パラメータを使用することによって第１ＡＰのために制御デバイスによって設定されてよい。更に、第１チャネルリソースはまた、前もってセットされてもよい。例えば、第１ＡＰは、チャネルに働きかけてよい。言い換えれば、第１ＡＰは、チャネルを使用することによって信号を送信してよい。他の例として、第１ＡＰの動作チャネルの時間周波数チャネルリソースは、ＲＵ１乃至ＲＵ１０と各々マークを付される１０個のＲＵに事前に分割される。この場合に、第１ＡＰは、パラレル信号伝送を実装するために使用されるＲＵとしてＲＵ１乃至ＲＵ１０の中の１つ以上のＲＵを予約してよい。例えば、ＲＵ１からＲＵ３が、パラレル信号伝送を実装するために使用されるＲＵとして予約されてよい。言い換えれば、ＲＵ１からＲＵ３の全てが、第１チャネルリソースとして使用されるＲＵとして予約されてよい。この場合に、任意に、他のＲＵ（すなわち、ＲＵ４からＲＵ１０）は、信号がＣＳＭＡ／ＣＡメカニズムに基づいて伝送される場合に使用されるＲＵであってよい。複数のＲＵが第１チャネルリソースとして予約されることが考えられる。この場合に、第１ＡＰは、今回スケジューリングされるＳＴＡへ特定のＲＵを割り当てる。これは、本願のこの実施形態で制限されない。例えば、第１ＡＰのために制御デバイスによって設定される第１ＳＴＡセットがＳＴＡ１１乃至ＳＴＡ１５を含むとすると、第１ＡＰは、ＳＴＡ１１からＳＴＡ１５の中からいずれか１つ乃至３つのＳＴＡを選択し、各ＳＴＡにＲＵ１乃至ＲＵ３の中の１つのＲＵを割り当てる。異なるＲＵは、異なるＳＴＡに割り当てられる。例えば、第１ＡＰは、ＲＵ１を使用することによって第１ＷＬＡＮフレームをＳＴＡ１１へ送信し、ＲＵ２を使用することによって第１ＷＬＡＮフレームをＳＴＡ１２へ送信し、ＲＵ３を使用することによって第１ＷＬＡＮフレームをＳＴＡ１３へ送信してよい。第１ＡＰは、同じ第１ＷＬＡＮフレーム又は異なる第１ＷＬＡＮフレームを異なるＳＴＡへ送信してよい。
【００７８】
任意に、第１設定情報は、第１ＷＬＡＮフレームの伝送電力を設定するために更に使用される。この場合に、Ｓ１０４は、第１ＡＰが、第１設定パラメータに基づいて、第１チャネルリソース及び第１ＷＬＡＮフレームの伝送電力を使用することによって開始時間に第１ＳＴＡセット内の少なくとも１つのＳＴＡへ第１ＷＬＡＮフレームを送信することを含んでよい。ＷＬＡＮフレームの伝送電力がより高い場合に、同時に伝送される他のＷＬＡＮフレームに対してそのＷＬＡＮフレームによって引き起こされる干渉はより大きい。従って、この任意の実施では、制御デバイスは、同時に伝送されるＷＬＡＮフレーム（例えば、以下の第２ＷＬＡＮフレーム）に対して第１ＷＬＡＮフレームによって引き起こされる干渉を低減することを助けるために、第１ＷＬＡＮフレームの伝送電力を設定する。
【００７９】
任意に、第１設定情報は、次の情報：第１ＷＬＡＮフレームを伝送するために使用される変調及びコーディングスキーム（modulation  and  coding  scheme，ＭＣＳ）、並びに第１ＷＬＡＮフレームを伝送するために使用されるストリームの数（number  of  streams，Ｎｓｔｓ）、第１ＷＬＡＮフレームを伝送するために使用されるデュアルキャリア変調（dual  carrier  modulation，ＤＣＭ）、第１ＷＬＡＮフレームを伝送するために使用される符号化方式、第１ＷＬＡＮフレームを伝送するために使用される空間時間ブロックコーディング（space  time  block  coding，ＳＴＢＣ）、など、のうちの少なくとも１つを設定するために更に使用される。これは、リソース割り当てを最適化することを助ける。
【００８０】
Ｓ１０５：制御デバイスは、第２設定パラメータを第２ＡＰへ送信し、第２設定パラメータは、第２ＳＴＡセット及び開始時間を設定するために使用される。第２設定パラメータは、第２ＡＰが第１チャネルリソースを使用することによって開始時間に第２ＳＴＡセット内の少なくとも１つのＳＴＡへ第２ＷＬＡＮフレームを送信可能であることを示すために使用される。
【００８１】
第２ＳＴＡセット及び開始時間を設定するよう第２設定パラメータで運ばれる情報のタイプは、本願のこの実施形態で制限されない。例えば、第２ＳＴＡセットは、第２ＳＴＡセットに含まれるＳＴＡの識別子を運ぶことによって、設定されてよい。例えば、開始時間は、開始時間を運ぶことによって、設定されてよい。
【００８２】
実施において、制御デバイスは、第２ＷＬＡＮフレームの特定のＷＬＡＮフレームタイプ（例えば、データフレーム又はトリガフレーム）を設定しなくてもよいが、第２ＡＰは、第２ＷＬＡＮフレームを決定し、例えば、実際の伝送要件に基づいて第２ＷＬＡＮフレームを決定する。他の実施では、制御デバイスは、代替的に、第２ＷＬＡＮフレームの特定のＷＬＡＮフレームタイプを設定してもよい。
【００８３】
Ｓ１０６：第２ＡＰは、制御デバイスによって送信された第２設定パラメータを受信する。
【００８４】
Ｓ１０７：第２ＡＰは、第２設定パラメータに基づいて、第１チャネルリソースを使用することによって開始時間に第２ＳＴＡセット内の少なくとも１つのＳＴＡへ第２ＷＬＡＮフレームを送信する。例えば、第２ＡＰは、第１チャネルリソースを使用することによって開始時間に第２ＳＴＡセット内の少なくとも１つのＳＴＡへ第２ＷＬＡＮフレームを送信し始めるよう構成される。
【００８５】
第２ＡＰに関して、第２設定パラメータは参考として使用されてよく、第２ＡＰは必ずしも、第１チャネルリソースを使用することによって開始時間に第２ＳＴＡセット内の少なくとも１つのＳＴＡへ第２ＷＬＡＮフレームを送信する必要がない。例えば、第２ＡＰが開始時間に、如何なる送信されるべきＷＬＡＮフレームも有していない場合には、送信動作は実行されない。他の例として、第１チャネルリソースが開始時間に利用不可能である（チャネルがビジーである）場合には、送信動作は実行されない。
【００８６】
第２ＡＰが第２ＷＬＡＮフレームを送信すべき第２ＳＴＡセット内のＳＴＡ又は複数のＳＴＡを第２ＡＰがどのように選択するかは、本願のこの実施形態で制限されない。具体的に、第２ＷＬＡＮフレームは、実際の伝送要件に基づいて送信されてよい。例えば、第２ＳＴＡセット内の１つ以上のＳＴＡをスケジューリングすると決定する場合に、第２ＡＰは、第２ＷＬＡＮフレームを１つ以上のＳＴＡへ送信してよい。更に、同じＡＰに関連する異なるＳＴＡは、同時に信号を伝送するために同じチャネルリソースを使用することができないので、第２ＡＰは、第２ＡＰの、パラレル伝送のために使用されるチャネルリソースのタイプの数に基づいて、スケジューリングされるべきＳＴＡの数を更に決定してもよい。パラレル伝送のために第２ＡＰによって使用されるチャネルリソースのタイプの数は、パラレル伝送のために第１ＡＰによって使用されるチャネルリソースのタイプの数と同じであっても又は部分的に同じであってもよい。
【００８７】
第１チャネルリソースは、第２設定パラメータ又は他の設定パラメータを使用することによって第２ＡＰのために制御デバイスによって設定されてよい。更に、第１チャネルリソースはまた、前もってセットされてもよい。例えば、第２ＡＰは、チャネルに働きかけてよく、チャネルは、第１ＡＰが働きかけるチャネルと同じである。他の例として、第２ＡＰの動作チャネルの時間周波数チャネルリソースは、ＲＵ１乃至ＲＵ１０に事前に分割される。第２ＡＰは、パラレル信号伝送を実装するために使用されるＲＵ１からＲＵ３を予約してよく、他のＲＵ（すなわち、ＲＵ４からＲＵ１０）は、信号がＣＳＭＡ／ＣＡメカニズムに基づいて伝送される場合に使用されるＲＵであってよい。この場合に、ＲＵ１からＲＵ３は、第１チャネルリソースとして使用されてよい。更に、第２ＡＰのために制御デバイスによって設定される第２ＳＴＡセットがＳＴＡ２１乃至ＳＴＡ２５を含むとすると、第２ＡＰは、ＳＴＡ２１からＳＴＡ２５の中からいずれか１つ乃至３つのＳＴＡを選択し、各ＳＴＡにＲＵ１乃至ＲＵ３の中の１つのＲＵを割り当ててよい。異なるＲＵは、異なるＳＴＡに割り当てられる。例えば、第２ＡＰは、ＲＵ１を使用することによって第２ＷＬＡＮフレームをＳＴＡ２１へ送信し、ＲＵ２を使用することによって第２ＷＬＡＮフレームをＳＴＡ２２へ送信し、ＲＵ３を使用することによって第２ＷＬＡＮフレームをＳＴＡ２３へ送信してよい。第２ＡＰは、同じ第２ＷＬＡＮフレーム又は異なる第２ＷＬＡＮフレームを異なるＳＴＡへ送信してよい。
【００８８】
第１ＡＰは、ＲＵ１を使用することによって第１ＷＬＡＮフレームをＳＴＡ１１へ送信してよく、第２ＡＰは、ＲＵ１を使用することによって第２ＷＬＡＮフレームをＳＴＡ２１へ送信してよく、かつ／あるいは、第１ＡＰは、ＲＵ２を使用することによって第１ＷＬＡＮフレームをＳＴＡ１２へ送信してよく、第２ＡＰは、ＲＵ２を使用することによって第２ＷＬＡＮフレームをＳＴＡ２２へ送信してよいことが分かる。このようにして、複数のＡＰは、チャネルリソース利用を改善するように、同じチャネルリソースを使用することによって同時にＷＬＡＮフレームを送信することができる。
【００８９】
任意に、第２設定情報は、第２ＷＬＡＮフレームの伝送電力を設定するために更に使用される。この場合に、Ｓ１０７は、第２ＡＰが、第２設定パラメータに基づいて、第１チャネルリソース及び第２ＷＬＡＮフレームの伝送電力を使用することによって開始時間に第２ＳＴＡセット内の少なくとも１つのＳＴＡへ第２ＷＬＡＮフレームを送信することを含んでよい。
【００９０】
任意に、第２設定情報は、次の情報：第２ＷＬＡＮフレームを伝送するために使用されるＭＣＳ、第２ＷＬＡＮフレームを伝送するために使用されるＮｓｔｓ、第２ＷＬＡＮフレームを伝送するために使用されるデュアルキャリア変調ＤＣＭ、第２ＷＬＡＮフレームを伝送するために使用される符号化方式、ＷＬＡＮフレームを伝送するために使用されるＳＴＢＣ、など、のうちの少なくとも１つを設定するために更に使用される。
【００９１】
いくつかの任意の実施の関連する有利な効果の説明については、上記の説明を参照されたい。詳細は、ここで再び記載されない。
【００９２】
更に、複数のＡＰ（例えば、第１ＡＰ及び第２ＡＰ）が制御デバイスによって設定された開始時間にＷＬＡＮフレームを送信し得ることを確かにすべく、時間同期プロトコルが、複数のＡＰの間の時間同期を確かにするために、複数のＡＰの間で更に実行されてもよい。例えば、精度時間プロトコル（precision  time  protocol，ＰＴＰ）プロトコルが、時間同期を実装するために使用されてよい。複数のＡＰの間で時間同期プロトコルを実行する具体的な実施は、本願で詳細に記載されない。
【００９３】
本願のこの実施形態で提供される技術的解決法で、制御デバイスは、第１ＡＰ及び第２ＡＰのために対応する設定パラメータを別々に設定してよく、それにより、第１ＡＰ及び第２ＡＰは、同じチャネルリソースを使用することによって同じ開始時間に、第１ＡＰ及び第２ＡＰのために別々に設定されたＳＴＡセット内の少なくとも１つのＳＴＡへＷＬＡＮフレームを送信することができる。このようにして、複数のＡＰは、チャネルリソース利用を改善するように、同じチャネルリソースを使用することによって並行してＷＬＡＮフレームを伝送することができる。信号を送信するアクセスポイントは、チャネルがビジーであることを検出せず、そして、アクセスポイントは、同じ開始時間に信号を送信する。従って、１つのアクセスポイントの信号は、複数のアクセスポイントが同時に信号を送信するので、他のアクセスポイントのＣＣＡ結果をビジーにしない。更に、第１ステーションセット内のいずれかのステーションと第２ステーションセット内のいずれかのステーションとの間の信号干渉は、予め定義された閾値よりも小さいので、並行して伝送されるＷＬＡＮフレームは、予め定義された閾値を適切に設定することによって正確に復号され得る。
【００９４】
任意に、第１設定情報は、第１ＷＬＡＮフレームの存続期間を設定するために更に使用される。このようにして、制御デバイスは、第１ＷＬＡＮフレームの存続期間を設定し、これは、同時に伝送されるＷＬＡＮフレーム（例えば、第１ＷＬＡＮフレーム及び以下の第２ＷＬＡＮフレーム）の異なる存続期間によって引き起こされる問題を回避することを助ける。問題は次の通りである：ＷＬＡＮフレームを完全に送信したＡＰは、他のＡＰによってＷＬＡＮフレームが完全には送信されてないことをＡＰが検出することで、チャネルがビジーであると決定し、それにより、ＷＬＡＮフレームを完全に送信したＡＰは、チャネルを占有することができず、更には、複数のＡＰは、パラレル信号伝送を実行し続けることができない。確かに、第１ＷＬＡＮフレームの存続期間は、代替的に、前もってセットされてもよい。
【００９５】
相応して、第２設定情報は、第２ＷＬＡＮフレームの存続期間を設定するために更に使用される。
【００９６】
任意に、第１ＷＬＡＮフレームがデータフレームである場合に、第１設定情報は、データフレームの確認応答フレームの存続期間を設定するために更に使用される。代替的に、第２ＷＬＡＮフレームがトリガフレームであり、トリガフレームが、トリガフレームを受信するＳＴＡに、データフレームを送信するようトリガするために使用される場合に、第１設定情報は、データフレームの確認応答フレームの存続期間を設定するために更に使用される。これは、同時に伝送でされる確認応答フレームの異なる存続期間によって引き起こされる問題を回避することを助ける。問題は次の通りである：確認応答フレームを完全に送信したＡＰは、他のＡＰによって完全には送信されていない確認応答フレームをＡＰが検出することで、チャネルがビジーであると決定し、それにより、確認応答フレームを完全に送信したＡＰは、チャネルを占有することができず、更には、複数のＡＰは、パラレル信号伝送を実行し続けることができない。確かに、第１ＷＬＡＮフレームがデータフレーム又はトリガフレームであるかどうかにかかわらず、データフレームの確認応答フレームの存続期間は、前もってセットされてもよい。
【００９７】
相応して、任意に、第２ＷＬＡＮフレームがデータフレーム又はトリガフレームであり、トリガフレームが、トリガフレームを受信するＳＴＡに、データフレームを送信するようトリガするために使用される場合に、第２設定情報は、データフレームの確認応答フレームの存続期間を設定するために更に使用される。
【００９８】
記載の容易のために、伝送タイムスロットの概念が本願では導入される。伝送タイムスロットは、ＡＰがＷＬＡＮフレームを送信する開始時間と、ＡＰが確認応答フレームを送信又は受信する終了時間とを指す。例えば、ＷＬＡＮフレームがデータフレームである場合に、１つの伝送タイムスロットは、ＡＰがデータフレームを送信する開始時間から、ＡＰがデータフレームの確認応答フレームを受信する終了時間までの期間を指す。他の例として、ＷＬＡＮフレームがトリガフレームである場合に、１つの伝送タイムスロットは、ＡＰがトリガフレームを送信する開始時間から、ＡＰが確認応答フレームを送信する終了時間までの時間であり、確認応答フレームは、トリガフレームによってトリガされたデータフレームの受信を確認する確認応答フレームである。
【００９９】
任意に、制御デバイスは、１つの伝送タイムスロット又は複数の連続した伝送タイムスロットにおいて設定されてよく、複数のＡＰがパラレル伝送を実行してよい。他の伝送タイムスロットでは、複数のＡＰの夫々は、ＣＳＭＡ／ＣＡメカニズム又は他の既存のメカニズムに基づいて信号を送信してよい。この場合に、各ＡＰは、ＡＰに関連するいずれか１つ以上のＳＴＡへ信号を送信してよい。言い換えれば、本願のこの実施形態で提供される技術的解決法で、複数のＡＰ（例えば、第１ＡＰ及び第２ＡＰ）は、ある期間に並行して信号を伝送可能であり、複数のＡＰは、他の期間にＣＳＭＡ／ＣＡメカニズム又は他の既存のメカニズムに基づいて信号を伝送する。
【０１００】
制御デバイスが複数の連続した伝送タイムスロットにおいて設定される場合に、複数のＡＰはパラレル伝送を実行してよい。更に、任意に、制御デバイスは、複数の伝送タイムスロットの中の各伝送タイムスロットにおいてトリガフレームを送信するよう複数のＡＰを設定してよく、あるいは、複数の伝送タイムスロットの中の各伝送タイムスロットにおいてダウンリンクＷＬＡＮフレームを送信するよう複数のＡＰを設定してよく、あるいは、複数の伝送タイムスロットの中のいくつかの伝送タイムスロットにおいてトリガフレームを送信し、他の伝送タイムスロットにおいてダウンリンクＷＬＡＮフレームを送信するよう複数のＡＰを設定してよい。具体的に、指示は、設定情報において指示情報を運ぶことによって実行されてよく、例えば、ビットマップ様式で実行されてよい。
【０１０１】
図５は、本願の実施形態に従って、設定パラメータに基づいてＡＰによって信号を伝送する略フローチャートである。この実施形態では、ＷＬＡＮフレームがデータフレーム又はトリガフレームであるところの例が、説明のために使用される。更に、ＷＬＡＮフレームがデータフレームである場合に、設定パラメータは、ＳＴＡセットと、データフレームが送信される開始時間ｔ１と、データフレームの存続期間Ｔ２と、データフレームの確認応答フレームの存続期間Ｔ３とを設定するために使用される。ＷＬＡＮフレームがトリガフレームである場合に、設定パラメータは、ＳＴＡセットと、トリガフレームが送信される開始時間ｔ１と、トリガフレームの存続期間Ｔ４（又はトリガフレームのトリガフレーム存続期間と呼ばれる）と、トリガフレームによってトリガされるデータフレームの存続期間Ｔ５と、データフレームの確認応答フレームの存続期間Ｔ６とを設定するために使用される。ＷＬＡＮフレームが管理フレーム又はトリガフレーム以外の他の制御フレームである場合に、ＡＰが設定パラメータに基づいて信号を伝送する具体的な実施は、図４に示される方法に基づく推測を通じて取得され得る。詳細は、本願で再び記載されない。
【０１０２】
図５に示される方法は、次のステップを含んでよい。
【０１０３】
Ｓ２１０：設定パラメータを受信した後、ＡＰは、チャネル評価（例えば、ＣＣＡ）プロシージャを実行し、例えば、各動作チャネル（例えば、２０ＭＨｚバンド幅ごと）に対してＣＣＡを実行する。
【０１０４】
ＡＰが、チャネル評価プロシージャを実行することによって、チャネルがビジーであると決定する場合に、Ｓ２０１が、ある期間の後に実行されるか、あるいは、終了する。ＡＰが、チャネル評価プロシージャを実行することによって、チャネルがアイドルであると決定する場合に、Ｓ２０２が実行される。
【０１０５】
免許不要周波数バンドがＷＬＡＮ技術では使用されるので、チャネルを使用する（チャネルを使用することによってデータを送信又は受信することを含む）前に、ＡＰは、伝送中の信号への干渉を回避するために、ＣＣＡのようなチャネル評価を実行する必要がある。従って、本願では、任意に、ＡＰが、設定パラメータを使用することによって設定された開始時間に、ＣＣＡを実行することによってチャネルがアイドルであると決定する場合に、ＡＰはＷＬＡＮフレームを送信する。チャネルがビジーであると決定する場合には、ＡＰはＷＬＡＮフレームを送信することができない。
【０１０６】
Ｓ２０２：ＡＰは、ＷＬＡＮフレームを送信すると決定する。
【０１０７】
ＷＬＡＮフレームがデータフレームである場合に、Ｓ２０３は、図６に示されるように、実行される。
【０１０８】
ＷＬＡＮフレームがトリガフレームである場合に、Ｓ２０５は、図７に示されるように、実行される。
【０１０９】
この実施形態でのＡＰは、第１ＡＰであってよい。この場合に、ＷＬＡＮフレームは第１ＷＬＡＮフレームであってよく、ＳＴＡセットは第１ＳＴＡセットであってよい。この実施形態でのＡＰは、代替的に、第２ＡＰであってよい。この場合に、ＷＬＡＮフレームは第２ＷＬＡＮフレームであってよく、ＳＴＡセットは第２ＳＴＡセットであってよい。
【０１１０】
Ｓ２０３：ＡＰは、時間ｔ１から始まる存続期間Ｔ２内にＳＴＡセット内の少なくとも１つのＳＴＡへデータフレームを送信する。その後に、少なくとも１つのＳＴＡは、確認応答フレームをＡＰへ送信し得る。
【０１１１】
Ｓ２０４：ＡＰは確認応答フレームを受信し、このとき、確認応答フレームの存続期間はＴ３である。Ｓ２０４が実行された後、プロセスは終了する。
【０１１２】
Ｓ２０５：ＡＰは、時間ｔ１から始める存続期間Ｔ４内にＳＴＡセット内の少なくとも１つのＳＴＡへトリガフレームを送信する。その後に、少なくとも１つのＳＴＡは、受信されたトリガフレームに基づいて、データフレームをＡＰへ送信し得る。
【０１１３】
Ｓ２０６：ＡＰは、少なくとも１つのＳＴＡによって送信されたデータフレームを受信し、このとき、データフレームの存続期間はＴ５である。
【０１１４】
Ｓ２０７：ＡＰは、データフレームを受信した後、存続期間Ｔ６内に少なくとも１つのＳＴＡの夫々は確認応答フレームを送信する。確認応答フレームの存続期間はＴ６である。Ｓ２０７が実行された後、プロセスは終了する。
【０１１５】
上記は、主に、方法の視点から、本願の実施形態で提供される解決法について記載する。上記の機能を実装すべく、データ処理方法は、機能を実行する事項するための対応するハードウェア構造及び／又はソフトウェアモジュールを含む。当業者であれば、本明細書で開示される実施形態で記載される例のユニット及びアルゴリズムステップと組み合わせて、本願が、ハードウェア又はハードウェアとコンピュータソフトウェアとの組み合わせによって実装され得ると容易に気付くはずである。機能がハードウェア又はコンピュータソフトウェアによって駆動されるハードウェアによって実行されるかどうかは、技術的解決法の特定の用途及び設計制約に依存する。当業者であれば、各特定の用途のために、記載される機能を実装するよう異なる方法を使用し得るが、実施が本願の範囲を超えることは考えられるべきではない。
【０１１６】
本願のこの実施形態で、パラレル伝送装置（例えば、制御デバイス又はアクセスポイント）は、上記の方法の例に基づいて機能モジュールに分割されてよい。例えば、各機能モジュールは、各対応する機能に基づく分割を通じて取得されてよく、あるいは、２つ以上の機能が、１つの処理モジュールに一体化されてもよい。一体化されたモジュールは、ハードウェアの形で実装されてよく、あるいは、ソフトウェア機能モジュールの形で実装されてもよい。本願のこの実施形態で、モジュール分割は一例であり、単に論理的な機能分割である。実際の実施では、他の分割様態が使用されてよい。
【０１１７】
図８は、本願の実施形態に従う制御デバイスの構造の概略図である。図８に示される制御デバイス８０は、上記のいずれかの方法で制御デバイスによって実行されるステップを実行するよう構成されてよい。制御デバイス８０は、第１設定ユニット８０１及び第２設定ユニット８０２を含んでよい。第１設定ユニット８０１は、第１アクセスポイントのための第１設定パラメータを設定するよう構成されてよく、第１設定パラメータは、第１ステーションセット及び開始時間を設定するために使用される。第１ステーションセットは、第１アクセスポイントに関連する１つ以上のステーションを含む。第１設定パラメータは、第１アクセスポイントがチャネルリソースを使用することによって開始時間に第１ステーションセット内の少なくとも１つのステーションへ第１ＷＬＡＮフレームを送信可能であることを示すために使用される。第２設定ユニット８０２は、第２アクセスポイントのための第２設定パラメータを設定するよう構成され、第２設定パラメータは、第２ステーションセット及び開始時間を設定するために使用される。第２ステーションセットは、第２アクセスポイントに関連する１つ以上のステーションを含む。第２設定パラメータは、第２アクセスポイントがチャネルリソースを使用することによって開始時間に第２ステーションセット内の少なくとも１つのステーションへ第２ＷＬＡＮフレームを送信可能であることを示すために使用される。第１ステーションセット内のいずれかのステーションと第２ステーションセット内のいずれかのステーションとの間の信号干渉は、予め定義された閾値よりも小さい。
【０１１８】
例えば、制御デバイス８０が第１アクセスポイントと一体化される場合に、第１設定ユニット８０１は、具体的に、処理ユニットであってよく、第２設定ユニット８０２は、具体的に、送信ユニットであってよい。制御デバイス８０が第２アクセスポイントと一体化される場合に、第１設定ユニット８０１は、具体的に、送信ユニットであってよく、第２設定ユニット８０２は、具体的に、処理ユニットであってよい。制御デバイス８０が第１アクセスポイント及び第２アクセスポイントから独立したデバイスである場合に、第１設定ユニット８０１及び第２設定ユニット８０２は送信ユニットであってよい。例えば、図３を参照して、第１設定ユニット８０１は、Ｓ１０２を実行するよう構成されてよく、第２設定ユニット８０２は、Ｓ１０５を実行するよう構成されてよい。
【０１１９】
関連する内容の説明及びこの実施形態での有利な効果の記載については、上記の方法の実施形態を参照されたい。
【０１２０】
ハードウェア実施で、図９に示されるように、制御デバイス８０が第１アクセスポイント及び第２アクセスポイントから独立したデバイスである場合に、図９は、本願の実施形態に従う制御デバイス９０の構造の概略図である。図９に示される制御デバイス９０は、少なくとも１つのプロセッサ９０１と、通信ライン９０２と、メモリ９０３と、トランシーバ９０４とを含んでよい。
【０１２１】
プロセッサ９０１は、本願の解決法のプログラム実行を制御するよう構成される中央演算処理装置（central  processing  unit，ＣＰＵ）、特定用途向け集積回路（application-specific  integrated  circuit，ＡＳＩＣ）、又は１つ以上の集積回路であってよい。
【０１２２】
メモリ９０３は、静的な情報及び命令を記憶することが可能なリード・オンリー・メモリ（read-only  memory，ＲＯＭ）若しくは他のタイプの静的記憶デバイス、又は情報及び命令を記憶することが可能なランダム・アクセス・メモリ（random  access  memory，ＲＡＭ）若しくは他のタイプの動的記憶デバイスであってよく、あるいは、電気的に消去可能なプログラム可能リード・オンリー・メモリ（electrically  erasable  programmable  read-only  memory，ＥＥＰＲＯＭ）、光ディスク、磁気記憶デバイス、又は期待されるプログラムコードを命令又はデータ構造の形で搬送又は記憶するために使用可能でありかつコンピュータによってアクセス可能であるあらゆる他の媒体であってよいが、それらに限られない。メモリは、独立して存在してよく、通信ライン９０２を通じてプロセッサへ接続される。代替的に，メモリは，プロセッサと一体化されてもよい。メモリ９０３は、本願での解決法を実行するためのコンピュータ実行可能命令を記憶するよう構成され、プロセッサ９０１は、コンピュータ実行可能命令の実行を制御する。
【０１２３】
通信ライン９０２は、上記のコンポーネント間で情報を伝送するための経路を含んでよい。
【０１２４】
トランシーバ９０４は、トランシーバなどの任意の装置を通じて他のデバイス（例えば、第１アクセスポイント及び第２アクセスポイント）又は通信ネットワークと通信するよう構成される。
【０１２５】
プロセッサ９０１は、次の：トランシーバを通じて第１アクセスポイントへ第１設定パラメータを送信するステップであり、第１設定パラメータは、第１ステーションセット及び開始時間を設定するために使用され、第１ステーションセットは、第１アクセスポイントに関連する１つ以上のステーションを含み、第１設定パラメータは、第１アクセスポイントがチャネルリソースを使用することによって開始時間に第１ステーションセット内の少なくとも１つのステーションへ第１ＷＬＡＮフレームを送信可能であることを示すために使用される、ステップと、トランシーバを通じて第２アクセスポイントへ第２設定パラメータを送信するステップであり、第２設定パラメータは、第２ステーションセット及び開始時間を設定するために使用され、第２ステーションセットは、第２アクセスポイントに関連する１つ以上のステーションを含み、第２設定パラメータは、第２アクセスポイントがチャネルリソースを使用することによって開始時間に第２ステーションセット内の少なくとも１つのステーションへ第２ＷＬＡＮフレームを送信可能であることを示すために使用される、ステップとを実行するように、メモリ９０３に記憶されているコンピュータ実行可能命令を実行するよう構成される。第１ステーションセット内のいずれかのステーションと第２ステーションセット内のいずれかのステーションとの間の信号干渉、予め定義された閾値よりも小さい。
【０１２６】
任意に、本願のこの実施形態でのコンピュータ実行可能命令は、アプリケーションプログラムコードとも呼ばれることがあり、これは、具体的に、本願のこの実施形態で制限されない。任意に、プロセッサ９０１は、１つ以上のＣＰＵを含んでよい。任意に、制御デバイス９０は、複数のプロセッサを含んでもよい。各プロセッサは、シングルコアプロセッサであってよく、あるいは、マルチコアプロセッサであってもよい。
【０１２７】
例において、第１設定ユニット８０１及び／又は第２設定ユニット８０２が具体的に処理ユニットである場合に、処理ユニットはプロセッサ９０１に対応してよい。第１設定ユニット８０１又は第２設定ユニット８０２が具体的に送信ユニットである場合に、送信ユニットはトランシーバ９０４に対応してよい。
【０１２８】
ハードウェア実施で、図１０に示されるように、制御デバイス８０がアクセスポイントと一体化される場合に、図１０は、本願の実施形態に従う制御デバイス１００（又はアクセスポイント）の構造の概略図である。図１０に示される制御デバイス１００は、少なくとも１つのプロセッサ１００１と、通信ライン１００２と、メモリ１００３と、トランシーバ１００４と、ＷＬＡＮチップ１００５とを含んでよい。プロセッサ１００１及びＷＬＡＮチップ１００５は、一体化されてよく、あるいは、独立して配置されてもよい。トランシーバ１００４は、有線トランシーバ又は無線トランシーバを含んでよい。無線トランシーバは、ＷＬＡＮチップ１００５を含んでよい。
【０１２９】
メモリ１００３は、プログラムコードを記憶するよう構成される。
【０１３０】
プロセッサ１００１は、メモリ１００３に記憶されているプログラムコードを呼び出して、次の：ＷＬＡＮチップ１００５のための第１設定パラメータを設定するステップを実行するよう構成され、第１設定パラメータは、第１ステーションセット及び開始時間を設定するために使用され、第１ステーションセットは、アクセスポイントに関連する１つ以上のステーションを含み、第１設定パラメータは、ＷＬＡＮチップがチャネルリソースを使用することによって開始時間に第１ステーションセット内の少なくとも１つのステーションへ第１ＷＬＡＮフレームを送信可能であることを示すために使用される。
【０１３１】
ＷＬＡＮチップ１００５は、プロセッサ１００１から複数のＷＬＡＮフレームを受信し、複数のＷＬＡＮフレームから、受信側が第１ステーションセット内のステーションであるＷＬＡＮフレームを第１ＷＬＡＮフレームとして選択し、第１ＷＬＡＮフレームを開始時間にチャネルリソースを使用することによって送信するよう構成される。
【０１３２】
プロセッサ１００１は、他のアクセスポイントのための第２設定パラメータを設定するよう更に構成され、第２設定パラメータは、第２ステーションセット及び開始時間を設定するために使用され、第２ステーションセットは、第２アクセスポイントに関連する１つ以上のステーションを含み、第２設定パラメータは、他のアクセスポイントがチャネルリソースを使用することによって開始時間に第２ステーションセット内の少なくとも１つのステーションへ第２ＷＬＡＮフレームを送信可能であることを示すために使用される。
【０１３３】
関連する内容の説明及びこの実施形態での有利な効果の記載については、上記の方法の実施形態を参照されたい。更に、プロセッサ１００１、通信ライン１００２、メモリ１００３、及びトランシーバ１００４の関連する記載については、上記の記載を参照されたい。
【０１３４】
更に、図８乃至図１０のいずれか１つで示される制御デバイスに基づいて、
任意に、第１設定パラメータは、第１チャネルリソースを設定するために更に使用され、あるいは、第２設定パラメータは、第１チャネルリソースを設定するために更に使用される。代替的に、第１設定パラメータは、第１チャネルリソースを設定するために更に使用され、かつ、第２設定パラメータは、第１チャネルリソースを設定するために更に使用される。
【０１３５】
任意に、第１設定パラメータは、第１ＷＬＡＮフレームの伝送電力を設定するために更に使用され、あるいは、第２設定パラメータは、第２ＷＬＡＮフレームの伝送電力を設定するために更に使用される。代替的に、第１設定パラメータは、第１ＷＬＡＮフレームの伝送電力を設定するために更に使用され、かつ、第２設定パラメータは、第２ＷＬＡＮフレームの伝送電力を設定するために更に使用される。
【０１３６】
任意に、第１ＷＬＡＮフレームは、第１トリガフレームであり、第１設定パラメータは、第１トリガフレームのトリガフレーム存続期間を設定するために更に使用される。第２ＷＬＡＮフレームは、第２トリガフレームであり、第２設定パラメータは、第２トリガフレームのトリガフレーム存続期間を設定するために更に使用される。第１トリガフレームのトリガフレーム存続期間は、第２トリガフレームのトリガフレーム存続期間に等しい。
【０１３７】
図１１は、本願の実施形態に従うアクセスポイントの構造の概略図である。図１１に示されるアクセスポイント１１０は、先に提供されたいずれかの方法でアクセスポイントによって実行されるステップを実行するよう構成されてよい。図１１に示されるアクセスポイント１１０は、受信ユニット１１０１及び送信ユニット１１０２を含んでよい。受信ユニット１１０１は、ＷＬＡＮ制御デバイスによって送信された設定パラメータを受信するよう構成されてよく、設定パラメータは、ステーションセット及び開始時間を設定するために使用され、ステーションセットは、アクセスポイントに関連する１つ以上のステーションを含み、設定パラメータは、アクセスポイントがチャネルリソースを使用することによって開始時間にステーションセット内の少なくとも１つのステーションへＷＬＡＮフレームを送信可能であることを示すために使用される。送信ユニット１１０２は、設定パラメータに基づいて、チャネルリソースを使用することによって開始時間にステーションセット内の少なくとも１つのステーションへＷＬＡＮフレームを送信するよう構成される。例えば、図３を参照して、アクセスポイント１１０が第１ＡＰである場合に、受信ユニット１１０１は、Ｓ１０３を実行するよう構成されてよく、送信ユニット１１０２は、Ｓ１０４を実行するよう構成されてよい。アクセスポイント１１０が第２ＡＰである場合に、受信ユニット１１０１は、Ｓ１０６を実行するよう構成されてよく、送信ユニット１１０２は、Ｓ１０７を実行するよう構成されてよい。
【０１３８】
ハードウェア実施で、図１２は、本願の実施形態に従うアクセスポイントの構造の概略図である。図１２に示される制御デバイス１２０は、少なくとも１つのプロセッサ１２０１と、通信ライン１２０２と、メモリ１２０３と、トランシーバ１２０４と、ＷＬＡＮチップ１２０５とを含んでよい。プロセッサ１２０１及びＷＬＡＮチップ１２０５は、一体化されてよく、あるいは、独立して配置されてもよい。トランシーバ１２０４は、有線トランシーバ又は無線トランシーバを含んでよい。無線トランシーバは、ＷＬＡＮチップ２００５を含んでよい。
【０１３９】
メモリ１２０３は、プログラムコードを記憶するよう構成される。
【０１４０】
プロセッサ１２０１は、メモリ１２０３に記憶されているプログラムコードを呼び出して、次の：トランシーバ１２０４を通じて、ＷＬＡＮ制御デバイスによって送信された設定パラメータを受信するステップを実行するよう構成され、設定パラメータは、ステーションセット及び開始時間を設定するために使用され、ステーションセットは、アクセスポイントに関連する１つ以上のステーションを含み、設定パラメータは、アクセスポイントがチャネルリソースを使用することによって開始時間にステーションセット内の少なくとも１つのステーションへターゲットＷＬＡＮフレームを送信可能であることを示すために使用される。
【０１４１】
ＷＬＡＮチップ１２０５は、プロセッサ１２０１から複数のＷＬＡＮを受信し、複数のＷＬＡＮフレームから、受信側がステーションセット内のステーションであるＷＬＡＮフレームをターゲットＷＬＡＮフレームとして選択し、ターゲットＷＬＡＮフレームを開始時間にチャネルリソースを使用することによって送信するよう構成される。
【０１４２】
関連する内容の説明及びこの実施形態での有利な効果の記載については、上記の方法の実施形態を参照されたい。更に、プロセッサ１２０１、通信ライン１２０２、メモリ１２０３、及びトランシーバ１２０４の関連する記載については、上記の記載を参照されたい。
【０１４３】
更に、図１１乃至図１２のいずれか１つで示されるアクセスポイントに基づいて、
任意に、設定パラメータは、チャネルリソースを設定するために更に使用される。
【０１４４】
任意に、設定パラメータは、ＷＬＡＮフレームの伝送電力を設定するために更に使用される。送信ユニット１１０２又はＷＬＡＮチップ１２０５は、具体的に、チャネルリソース及びＷＬＡＮフレームの伝送電力を使用することによって開始時間にステーションセット内の少なくとも１つのステーションへＷＬＡＮフレームを送信するよう構成される。
【０１４５】
任意に、ＷＬＡＮフレームは、トリガフレームであり、設定パラメータは、トリガフレームのトリガフレーム存続期間を設定するために更に使用される。送信ユニット１１０２又はＷＬＡＮチップ１２０５は、具体的に、チャネルリソースを使用することによって開始時間に、存続期間がトリガフレーム存続期間であるトリガフレームをステーションセット内の少なくとも１つのステーションへ送信するよう構成される。
【０１４６】
上記の実施形態の一部又は全ては、ソフトウェア、ハードウェア、又はそれらの組み合わせを通じて実装されてよい。ソフトウェアプログラムが実施形態を実装するために使用される場合に、実施形態は、完全に又は部分的にコンピュータプログラム製品の形で実装されてよい。コンピュータプログラム製品は、１つ以上のコンピュータ命令を含む。コンピュータ命令がコンピュータでロード及び実行される場合に、本願の実施形態に従うプロシージャ又は機能は、全て又は部分的に生成される。コンピュータは、汎用コンピュータ、専用コンピュータ、コンピュータネットワーク、又は他のプログラム可能な装置であってよい。コンピュータ命令は、コンピュータ可読記憶媒体に記憶されてよく、あるいは、コンピュータ可読記憶媒体から他のコンピュータ可読記憶媒体へ伝送されてよい。例えば、コンピュータ命令は、ウェブサイト、コンピュータ、サーバ、又はデータセンターから他のウェブサイト、コンピュータ、サーバ、又はデータセンターへ有線（例えば、同軸ケーブル、光ファイバ、若しくはツイストペア）又は無線（例えば、赤外線、電波、若しくはマイクロ波）で伝送されてよい。コンピュータ可読記憶媒体は、コンピュータによってアクセス可能な任意の媒体、又は１つ以上の使用可能な媒体を組み込む、サーバ若しくはデータセンターのようなデータ記憶デバイスであってよい。媒体は、磁気媒体（例えば、フロッピーディスク、ハードディスク、若しくは磁気テープ）、光学媒体（例えば、光ディスク）、半導体媒体（例えば、ソリッドステートドライブ（solid  state  disk，ＳＳＤ））、などであってよい。
【０１４７】
本願は実施形態を参照して記載されているが、保護を請求する本願を実装する過程で、当業者であれば、添付の図面、開示されている内容、及び添付の特許請求の範囲を鑑みて、開示されている実施形態の他の変形を理解及び実施し得る。単一のプロセッサ又は他のユニットは、特許請求の範囲で列挙されているいくつかの機能を実装してよい。いくつかの手段は、互いに異なる従属請求項で記録されているが、これは、それらの手段がより良い効果をもたらすよう組み合わされ得ないことを意味するものではない。
【０１４８】
本願は、２０１８年４月１６日付けで「PARALLEL  TRANSMISSION  METHOD  AND  APPRATUS」と題されて中国国家知識産権局に出願された中国特許出願第２０１８１０３４０１１６．８号の優先権を主張する。なお、先の中国出願は、その全文を参照により本願に援用される。
【図１】
2021520145.tif 000003
【図２】
2021520145.tif 000004
【図３】
2021520145.tif 000005
【図４】
2021520145.tif 000006
【図５】
2021520145.tif 000007
【図６】
2021520145.tif 000008
【図７】
2021520145.tif 000009
【図８】
2021520145.tif 000010
【図９】
2021520145.tif 000011
【図１０】
2021520145.tif 000012
【図１１】
2021520145.tif 000013
【図１２】
2021520145.tif 000014
【手続補正書】
【提出日】令和2年11月19日(2020.11.19)
【手続補正１】
【補正対象書類名】特許請求の範囲
【補正対象項目名】全文
【補正方法】変更
【補正の内容】
【特許請求の範囲】
【請求項１】
パラレル伝送方法であって、
無線ローカル・エリア・ネットワーク（ＷＬＡＮ）制御デバイスによって、第１アクセスポイントのための第１設定パラメータを設定することであり、該第１設定パラメータは、第１ステーションセット及び開始時間を設定するために使用され、該第１ステーションセットは、前記第１アクセスポイントに関連する１つ以上のステーションを有し、前記第１設定パラメータは、前記第１アクセスポイントがチャネルリソースを使用することによって前記開始時間に前記第１ステーションセット内の少なくとも１つのステーションへ第１ＷＬＡＮフレームを送信可能であることを示すために使用される、前記第１設定パラメータを設定することと、
前記制御デバイスによって、第２アクセスポイントのための第２設定パラメータを設定することであり、該第２設定パラメータは、第２ステーションセット及び前記開始時間を設定するために使用され、該第２ステーションセットは、前記第２アクセスポイントに関連する１つ以上のステーションを有し、前記第２設定パラメータは、前記第２アクセスポイントが前記チャネルリソースを使用することによって前記開始時間に前記第２ステーションセット内の少なくとも１つのステーションへ第２ＷＬＡＮフレームを送信可能であることを示すために使用される、前記第２設定パラメータを設定することと
を有し、
前記第１ステーションセット内のいずれかのステーションと前記第２ステーションセット内のいずれかのステーションとの間の信号干渉が、予め定義された閾値よりも小さい、
方法。
【請求項２】
前記第１ＷＬＡＮフレームは、第１トリガフレームであり、前記第１設定パラメータは、前記第１トリガフレームのトリガフレーム存続期間を設定するために更に使用され、前記第２ＷＬＡＮフレームは、第２トリガフレームであり、前記第２設定パラメータは、前記第２トリガフレームのトリガフレーム存続期間を設定するために更に使用され、前記第１トリガフレームのトリガフレーム存続期間は、前記第２トリガフレームのトリガフレーム存続期間と等しい、
請求項１に記載の方法。
【請求項３】
パラレル伝送方法であって、
アクセスポイントによって、無線ローカル・エリア・ネットワーク（ＷＬＡＮ）制御デバイスによって送信された設定パラメータを受信することであり、該設定パラメータは、ステーションセット及び開始時間を設定するために使用され、該ステーションセットは、前記アクセスポイントに関連する１つ以上のステーションを有し、前記設定パラメータは、前記アクセスポイントがチャネルリソースを使用することによって前記開始時間に前記ステーションセット内の少なくとも１つのステーションへＷＬＡＮフレームを送信可能であることを示すために使用される、前記受信することと、
前記アクセスポイントによって前記設定パラメータに基づいて、前記チャネルリソースを使用することによって前記開始時間に前記ステーションセット内の前記少なくとも１つのステーションへ前記ＷＬＡＮフレームを送信することと
を有する方法。
【請求項４】
前記設定パラメータは、トリガフレーム存続期間を設定するために更に使用され、前記アクセスポイントによって前記設定パラメータに基づいて、前記チャネルリソースを使用することによって前記開始時間に前記ステーションセット内の前記少なくとも１つのステーションへ前記ＷＬＡＮフレームを送信することは、
前記アクセスポイントによって前記開始時間に前記チャネルリソースを使用することによって、存続期間が前記トリガフレーム存続期間であるトリガフレームを前記ステーションセット内の前記少なくとも１つのステーションへ送信することを有する、
請求項３に記載の方法。
【請求項５】
無線ローカル・エリア・ネットワーク（ＷＬＡＮ）制御デバイスであって、
第１アクセスポイントのための第１設定パラメータを設定するよう構成される第１設定ユニットであり、該第１設定パラメータは、第１ステーションセット及び開始時間を設定するために使用され、該第１ステーションセットは、前記第１アクセスポイントに関連する１つ以上のステーションを有し、前記第１設定パラメータは、前記第１アクセスポイントがチャネルリソースを使用することによって前記開始時間に前記第１ステーションセット内の少なくとも１つのステーションへ第１ＷＬＡＮフレームを送信可能であることを示すために使用される、前記第１設定ユニットと、
第２アクセスポイントのための第２設定パラメータを設定するよう構成される第２設定ユニットであり、該第２設定パラメータは、第２ステーションセット及び前記開始時間を設定するために使用され、該第２ステーションセットは、前記第２アクセスポイントに関連する１つ以上のステーションを有し、前記第２設定パラメータは、前記第２アクセスポイントが前記チャネルリソースを使用することによって前記開始時間に前記第２ステーションセット内の少なくとも１つのステーションへ第２ＷＬＡＮフレームを送信可能であることを示すために使用される、前記第２設定ユニットと
を有し、
前記第１ステーションセット内のいずれかのステーションと前記第２ステーションセット内のいずれかのステーションとの間の信号干渉が、予め定義された閾値よりも小さい、
制御デバイス。
【請求項６】
前記第１ＷＬＡＮフレームは、第１トリガフレームであり、前記第１設定パラメータは、前記第１トリガフレームのトリガフレーム存続期間を設定するために更に使用され、前記第２ＷＬＡＮフレームは、第２トリガフレームであり、前記第２設定パラメータは、前記第２トリガフレームのトリガフレーム存続期間を設定するために更に使用され、前記第１トリガフレームのトリガフレーム存続期間は、前記第２トリガフレームのトリガフレーム存続期間と等しい、
請求項５に記載の制御デバイス。
【請求項７】
アクセスポイントであって、
無線ローカル・エリア・ネットワーク（ＷＬＡＮ）制御デバイスによって送信された設定パラメータを受信するよう構成される受信ユニットであり、該設定パラメータは、ステーションセット及び開始時間を設定するために使用され、該ステーションセットは、前記アクセスポイントに関連する１つ以上のステーションを有し、前記設定パラメータは、前記アクセスポイントがチャネルリソースを使用することによって前記開始時間に前記ステーションセット内の少なくとも１つのステーションへＷＬＡＮフレームを送信可能であることを示すために使用される、前記受信ユニットと、
前記設定パラメータに基づいて、前記チャネルリソースを使用することによって前記開始時間に前記ステーションセット内の前記少なくとも１つのステーションへ前記ＷＬＡＮフレームを送信するよう構成される送信ユニットと
を有するアクセスポイント。
【請求項８】
前記設定パラメータは、トリガフレーム存続期間を設定するために更に使用され、
前記送信ユニットは、前記チャネルリソースを使用することによって、存続期間が前記トリガフレーム存続期間であるトリガフレームを前記ステーションセット内の前記少なくとも１つのステーションへ送信するよう特に構成される、
請求項７に記載のアクセスポイント。
【請求項９】
無線ローカル・エリア・ネットワーク（ＷＬＡＮ）制御デバイスであって、
プロセッサ及びトランシーバを有し、
前記プロセッサは、
前記トランシーバを通じて第１アクセスポイントへ第１設定パラメータを送信し、該第１設定パラメータは、第１ステーションセット及び開始時間を設定するために使用され、該第１ステーションセットは、前記第１アクセスポイントに関連する１つ以上のステーションを有し、前記第１設定パラメータは、前記第１アクセスポイントがチャネルリソースを使用することによって前記開始時間に前記第１ステーションセット内の少なくとも１つのステーションへ第１ＷＬＡＮフレームを送信可能であることを示すために使用され、
前記トランシーバを通じて第２アクセスポイントへ第２設定パラメータを送信し、該第２設定パラメータは、第２ステーションセット及び前記開始時間を設定するために使用され、該第２ステーションセットは、前記第２アクセスポイントに関連する１つ以上のステーションを有し、前記第２設定パラメータは、前記第２アクセスポイントが前記チャネルリソースを使用することによって前記開始時間に前記第２ステーションセット内の少なくとも１つのステーションへ第２ＷＬＡＮフレームを送信可能であることを示すために使用される
よう構成され、
前記第１ステーションセット内のいずれかのステーションと前記第２ステーションセット内のいずれかのステーションとの間の信号干渉が、予め定義された閾値よりも小さい、
制御デバイス。
【請求項１０】
アクセスポイントであって、
プロセッサ及び無線ローカル・エリア・ネットワーク（ＷＬＡＮ）チップを有し、
前記プロセッサは、前記ＷＬＡＮチップのための第１設定パラメータを設定するよう構成され、前記第１設定パラメータは、第１ステーションセット及び開始時間を設定するために使用され、該第１ステーションセットは、前記アクセスポイントに関連する１つ以上のステーションを有し、前記第１設定パラメータは、前記ＷＬＡＮチップがチャネルリソースを使用することによって前記開始時間に前記第１ステーションセット内の少なくとも１つのステーションへ第１ＷＬＡＮフレームを送信可能であることを示すために使用され、
前記ＷＬＡＮチップは、前記プロセッサから複数のＷＬＡＮフレームを受信し、該複数のＷＬＡＮフレームから、受信側が前記第１ステーションセット内のステーションであるＷＬＡＮフレームを前記第１ＷＬＡＮフレームとして選択し、該第１ＷＬＡＮフレームを前記開始時間に前記チャネルリソースを使用することによって送信するよう構成され、
前記プロセッサは、第２アクセスポイントのための第２設定パラメータを設定するよう更に構成され、該第２設定パラメータは、第２ステーションセット及び前記開始時間を設定するために使用され、該第２ステーションセットは、前記第２アクセスポイントに関連する１つ以上のステーションを有し、前記第２設定パラメータは、前記第２アクセスポイントが前記チャネルリソースを使用することによって前記開始時間に前記第２ステーションセット内の少なくとも１つのステーションへ第２ＷＬＡＮフレームを送信可能であることを示すために使用される、
アクセスポイント。
【請求項１１】
アクセスポイントであって、
トランシーバ、プロセッサ、及び無線ローカル・エリア・ネットワーク（ＷＬＡＮ）チップを有し、
前記プロセッサは、前記トランシーバを通じて、ＷＬＡＮ制御デバイスによって送信された設定パラメータを受信するよう構成され、該設定パラメータは、ステーションセット及び開始時間を設定するために使用され、前記ステーションセットは、前記アクセスポイントに関連する１つ以上のステーションを有し、前記設定パラメータは、前記アクセスポイントがチャネルリソースを使用することによって前記開始時間に前記ステーションセット内の少なくとも１つのステーションへターゲットＷＬＡＮフレームを送信可能であることを示すために使用され、
前記ＷＬＡＮチップは、前記プロセッサから複数のＷＬＡＮを受信し、該複数のＷＬＡＮフレームから、受信側が前記ステーションセット内のステーションであるＷＬＡＮフレームを前記ターゲットＷＬＡＮフレームとして選択し、該ターゲットＷＬＡＮフレームを前記開始時間に前記チャネルリソースを使用することによって送信するよう構成される、
アクセスポイント。
【請求項１２】
プログラムコードを有し、該プログラムコードがコンピュータで実行される場合に、請求項１乃至４のうちいずれか一項に記載のパラレル伝送方法が実行される、
コンピュータ可読記憶媒体。
【手続補正２】
【補正対象書類名】明細書
【補正対象項目名】０００２
【補正方法】変更
【補正の内容】
【０００２】
無線ローカル・エリア・ネットワーク（wireless  local  area  network，ＷＬＡＮ）は、ステーション（station，ＳＴＡ）間の衝突を回避するために、搬送波感知多重アクセス／衝突回避（carrier  sense  multiple  access/collision  avoidance，ＣＳＭＡ／ＣＡ）メカニズムを使用する。具体的に、ＳＴＡが信号を送信する必要があり、衝突が起きるか又はチャネルがビジーからアイドルへ変わる場合に、ＳＴＡは、乱数を生成し、乱数をタイマの初期値として使用し、タイマを開始する。タイマの値が初期値から０に減ると、ＳＴＡは信号を送信し始める。このようにして、複数のＳＴＡが同時に信号を送信する必要がある場合に、より小さい乱数を生成するＳＴＡが最初に信号を送信し得る。
【手続補正３】
【補正対象書類名】明細書
【補正対象項目名】００４４
【補正方法】変更
【補正の内容】
【００４４】
具体的に、制御デバイス１０が第１ＡＰと一体化される場合に、制御デバイス１０が第１ＡＰのための第１設定パラメータを設定することは、制御デバイス１０が制御デバイス１０のための第１設定パラメータを設定することとして理解され得る。制御デバイス１０が第１ＡＰから独立したデバイスである場合に、制御デバイス１０が第１ＡＰのための第１設定パラメータを設定することは、制御デバイス１０が第１設定パラメータを第１ＡＰへ送信することとして理解され得る。制御デバイス１０が第２ＡＰと一体化されたデバイスである場合に、制御デバイス１０が第２ＡＰのための第２設定パラメータを設定することは、制御デバイス１０が制御デバイス１０のための第２設定パラメータを設定することとして理解され得る。制御デバイス１０が第２ＡＰから独立したデバイスである場合に、制御デバイス１０が第２ＡＰのための第２設定パラメータを設定することは、制御デバイス１０が第２設定パラメータを第２ＡＰへ送信することとして理解され得る。
【手続補正４】
【補正対象書類名】明細書
【補正対象項目名】００７８
【補正方法】変更
【補正の内容】
【００７８】
任意に、第１設定パラメータは、第１ＷＬＡＮフレームの伝送電力を設定するために更に使用される。この場合に、Ｓ１０４は、第１ＡＰが、第１設定パラメータに基づいて、第１チャネルリソース及び第１ＷＬＡＮフレームの伝送電力を使用することによって開始時間に第１ＳＴＡセット内の少なくとも１つのＳＴＡへ第１ＷＬＡＮフレームを送信することを含んでよい。ＷＬＡＮフレームの伝送電力がより高い場合に、同時に伝送される他のＷＬＡＮフレームに対してそのＷＬＡＮフレームによって引き起こされる干渉はより大きい。従って、この任意の実施では、制御デバイスは、同時に伝送されるＷＬＡＮフレーム（例えば、以下の第２ＷＬＡＮフレーム）に対して第１ＷＬＡＮフレームによって引き起こされる干渉を低減することを助けるために、第１ＷＬＡＮフレームの伝送電力を設定する。
【手続補正５】
【補正対象書類名】明細書
【補正対象項目名】００７９
【補正方法】変更
【補正の内容】
【００７９】
任意に、第１設定パラメータは、次の情報：第１ＷＬＡＮフレームを伝送するために使用される変調及びコーディングスキーム（modulation  and  coding  scheme，ＭＣＳ）、並びに第１ＷＬＡＮフレームを伝送するために使用されるストリームの数（number  of  streams，Ｎｓｔｓ）、第１ＷＬＡＮフレームを伝送するために使用されるデュアルキャリア変調（dual  carrier  modulation，ＤＣＭ）、第１ＷＬＡＮフレームを伝送するために使用される符号化方式、第１ＷＬＡＮフレームを伝送するために使用される空間時間ブロックコーディング（space  time  block  coding，ＳＴＢＣ）、など、のうちの少なくとも１つを設定するために更に使用される。これは、リソース割り当てを最適化することを助ける。
【手続補正６】
【補正対象書類名】明細書
【補正対象項目名】００８９
【補正方法】変更
【補正の内容】
【００８９】
任意に、第２設定パラメータは、第２ＷＬＡＮフレームの伝送電力を設定するために更に使用される。この場合に、Ｓ１０７は、第２ＡＰが、第２設定パラメータに基づいて、第１チャネルリソース及び第２ＷＬＡＮフレームの伝送電力を使用することによって開始時間に第２ＳＴＡセット内の少なくとも１つのＳＴＡへ第２ＷＬＡＮフレームを送信することを含んでよい。
【手続補正７】
【補正対象書類名】明細書
【補正対象項目名】００９０
【補正方法】変更
【補正の内容】
【００９０】
任意に、第２設定パラメータ情報は、次の情報：第２ＷＬＡＮフレームを伝送するために使用されるＭＣＳ、第２ＷＬＡＮフレームを伝送するために使用されるＮｓｔｓ、第２ＷＬＡＮフレームを伝送するために使用されるデュアルキャリア変調ＤＣＭ、第２ＷＬＡＮフレームを伝送するために使用される符号化方式、第２ＷＬＡＮフレームを伝送するために使用されるＳＴＢＣ、など、のうちの少なくとも１つを設定するために更に使用される。
【手続補正８】
【補正対象書類名】明細書
【補正対象項目名】００９４
【補正方法】変更
【補正の内容】
【００９４】
任意に、第１設定パラメータは、第１ＷＬＡＮフレームの存続期間を設定するために更に使用される。このようにして、制御デバイスは、第１ＷＬＡＮフレームの存続期間を設定し、これは、同時に伝送されるＷＬＡＮフレーム（例えば、第１ＷＬＡＮフレーム及び以下の第２ＷＬＡＮフレーム）の異なる存続期間によって引き起こされる問題を回避することを助ける。問題は次の通りである：ＷＬＡＮフレームを完全に送信したＡＰは、他のＡＰによってＷＬＡＮフレームが完全には送信されてないことをＡＰが検出することで、チャネルがビジーであると決定し、それにより、ＷＬＡＮフレームを完全に送信したＡＰは、チャネルを占有することができず、更には、複数のＡＰは、パラレル信号伝送を実行し続けることができない。確かに、第１ＷＬＡＮフレームの存続期間は、代替的に、前もってセットされてもよい。
【手続補正９】
【補正対象書類名】明細書
【補正対象項目名】００９５
【補正方法】変更
【補正の内容】
【００９５】
相応して、第２設定パラメータは、第２ＷＬＡＮフレームの存続期間を設定するために更に使用される。
【手続補正１０】
【補正対象書類名】明細書
【補正対象項目名】００９６
【補正方法】変更
【補正の内容】
【００９６】
任意に、第１ＷＬＡＮフレームがデータフレームである場合に、第１設定パラメータは、データフレームの確認応答フレームの存続期間を設定するために更に使用される。代替的に、第１ＷＬＡＮフレームがトリガフレームであり、トリガフレームが、トリガフレームを受信するＳＴＡに、データフレームを送信するようトリガするために使用される場合に、第１設定パラメータは、データフレームの確認応答フレームの存続期間を設定するために更に使用される。これは、同時に伝送でされる確認応答フレームの異なる存続期間によって引き起こされる問題を回避することを助ける。問題は次の通りである：確認応答フレームを完全に送信したＡＰは、他のＡＰによって完全には送信されていない確認応答フレームをＡＰが検出することで、チャネルがビジーであると決定し、それにより、確認応答フレームを完全に送信したＡＰは、チャネルを占有することができず、更には、複数のＡＰは、パラレル信号伝送を実行し続けることができない。確かに、第１ＷＬＡＮフレームがデータフレーム又はトリガフレームであるかどうかにかかわらず、データフレームの確認応答フレームの存続期間は、前もってセットされてもよい。
【手続補正１１】
【補正対象書類名】明細書
【補正対象項目名】００９７
【補正方法】変更
【補正の内容】
【００９７】
相応して、任意に、第２ＷＬＡＮフレームがデータフレーム又はトリガフレームであり、トリガフレームが、トリガフレームを受信するＳＴＡに、データフレームを送信するようトリガするために使用される場合に、第２設定パラメータは、データフレームの確認応答フレームの存続期間を設定するために更に使用される。
【手続補正１２】
【補正対象書類名】明細書
【補正対象項目名】０１３２
【補正方法】変更
【補正の内容】
【０１３２】
プロセッサ１００１は、第２アクセスポイントのための第２設定パラメータを設定するよう更に構成され、第２設定パラメータは、第２ステーションセット及び開始時間を設定するために使用され、第２ステーションセットは、第２アクセスポイントに関連する１つ以上のステーションを含み、第２設定パラメータは、第２アクセスポイントがチャネルリソースを使用することによって開始時間に第２ステーションセット内の少なくとも１つのステーションへ第２ＷＬＡＮフレームを送信可能であることを示すために使用される。
【国際調査報告】
2021520145.tif 000015
2021520145.tif 000016
2021520145.tif 000017
2021520145.tif 000018